(57)【特許請求の範囲】
【請求項１】
画像光として第１の偏光軸を有する第１の直線偏光を出射する表示部と、
前記表示部と対向して配置され、前記第１の直線偏光を透過する画像表示モードと外光を反射する外光反射モードとの切り替えを行う表示切替部と
を有し、
前記表示部は、前記第１の直線偏光を透過すると共に前記第１の偏光軸と交差する第２の偏光軸を有する第２の直線偏光を吸収する第１の吸収型偏光部材を含み、
前記表示切替部は、前記表示部から遠ざかる方向に順に配置された反射型偏光部材と透過偏光軸可変部材と第２の吸収型偏光部材とを含み、
前記反射型偏光部材は、前記第１の直線偏光を透過させると共に前記第２の直線偏光を反射するものであり、
前記透過偏光軸可変部材は、前記第１の直線偏光を前記第２の直線偏光へ変換して透過させる第１のモードと、前記第１の直線偏光を前記第２の直線偏光へ変換せずに透過させる第２のモードとの切り替えを行うものであり、
前記第２の吸収型偏光部材は、前記第１の直線偏光を透過すると共に前記第２の直線偏光を吸収するものであり、
前記第２の吸収型偏光部材の色相ｂ*値は、前記第１の吸収型偏光部材の色相ｂ*値より３．１２小さい
表示装置。
【請求項２】
前記透過偏光軸可変部材は、ＴＮ（Twisted Nematic）液晶素子、ＳＴＮ（Super Twisted Nematic）液晶素子、ＶＡ(Vertical Alignment)液晶素子、反強誘電性液晶素子または強誘電性液晶素子のいずれかの液晶素子である
請求項１記載の表示装置。
【請求項３】
前記透過偏光軸可変部材が、双安定液晶表示素子または３安定液晶表示素子である
請求項１記載の表示装置。
【請求項４】
前記第１の吸収型偏光部材は、前記表示部の内部に設けられている
請求項１から請求項３のいずれか１項に記載の表示装置。
【請求項５】
前記表示部は、前記第１の吸収型偏光部材を挟んで前記表示切替部と反対側に表示パネルをさらに含み、
前記第１の吸収型偏光部材と前記反射型偏光部材との間にガラス基板をさらに有する
請求項１から請求項３のいずれか１項に記載の表示装置。
【請求項６】
前記反射型偏光部材と前記透過偏光軸可変部材とを貼り合わせる第１の樹脂層をさらに有し、
前記第１の樹脂層は２５μｍ以下の厚さを有する
請求項１から請求項５のいずれか１項に記載の表示装置。
【請求項７】
前記第２の吸収型偏光部材と前記透過偏光軸可変部材とを貼り合わせる第２の樹脂層をさらに有し、
前記第２の樹脂層は２５μｍ以下の厚さを有する
請求項１から請求項６のいずれか１項に記載の表示装置。
【請求項８】
前記反射型偏光部材と前記表示部とを貼り合わせる第３の樹脂層をさらに有し、
前記第３の樹脂層は２５μｍ以下の厚さを有する
請求項１から請求項７のいずれか１項に記載の表示装置。
【請求項９】
前記透過偏光軸可変部材は、一部の前記第１の直線偏光のみを前記第２の直線偏光へ変換して透過させると共に残りの前記第１の直線偏光を前記第２の直線偏光へ変換せずに透過させる第３のモードへの切り替えも行う
請求項１から請求項８のいずれか１項に記載の表示装置。
【請求項１０】
前記第１の吸収型偏光部材の色相ｂ*値は３．５５であり、
前記第２の吸収型偏光部材の色相ｂ*値は０．４３である
請求項１から請求項９のいずれか１項に記載の表示装置。
【請求項１１】
表示装置と、
前記表示装置を制御する制御部と
を備え、
前記表示装置は、
画像光として第１の偏光軸を有する第１の直線偏光を出射する表示部と、
前記表示部と対向して配置され、前記第１の直線偏光を透過する画像表示モードと外光を反射する外光反射モードとの切り替えを行う表示切替部と
を有し、
前記表示部は、前記第１の直線偏光を透過すると共に前記第１の偏光軸と交差する第２の偏光軸を有する第２の直線偏光を吸収する第１の吸収型偏光部材を含み、
前記表示切替部は、前記表示部から遠ざかる方向に順に配置された反射型偏光部材と透過偏光軸可変部材と第２の吸収型偏光部材とを含み、
前記反射型偏光部材は、前記第１の直線偏光を透過させると共に前記第２の直線偏光を反射するものであり、
前記透過偏光軸可変部材は、前記第１の直線偏光を前記第２の直線偏光へ変換して透過させる第１のモードと、前記第１の直線偏光を前記第２の直線偏光へ変換せずに透過させる第２のモードとの切り替えを行うものであり、
前記第２の吸収型偏光部材は、前記第１の直線偏光を透過すると共に前記第２の直線偏光を吸収するものであり、
前記第２の吸収型偏光部材の色相ｂ*値は、前記第１の吸収型偏光部材の色相ｂ*値より３．１２小さい
電子機器。
【発明の詳細な説明】
【技術分野】
【０００１】  本開示は、表示の切替を行う光学装置、表示装置および電子機器に関する。
【背景技術】
【０００２】  従来、２つの液晶パネルを重ね合せることによって、通常の画面状態（画像表示モード）と鏡面状態（外光反射モード）とを切り替え可能に構成した表示装置が知られている（例えば特許文献１，２参照）。そのような表示装置は、具体的には、例えば液晶表示部の観察者側に、液晶表示部から観察者に向かう順に反射型偏光板と液晶パネルと吸収型偏光板とが積層配置された表示切替部を備えている。
【先行技術文献】
【特許文献】
【０００３】
【特許文献１】特開２００１―３１８３７４号公報
【特許文献２】特開２００４―３７９４３号公報
【発明の概要】
【０００４】  しかしながら、上記の表示装置においては、画像表示モードおよび外光反射モードのいずれにおいても、表示切替部における液晶パネルと吸収型偏光板とを順次透過した光を視認することとなる。このため、観察者に視認される画像光は、それらの液晶パネルおよび吸収型偏光板の透過特性の影響を受けることとなり、例えば吸収型偏光板の波長分散と液晶パネルの波長分散とに起因する色付きが発生し、表示品位に欠けるおそれがある。また、映像光の切り替えを行う際に、特定の領域だけを切り替えたり、特異な形状で表示を行ったりしたい場合には、例えば、切り替え用の液晶パネルの電極を、用途や目的に応じた形状にすることが必要となる。しかし、そのようにした場合には、切り替え用の液晶パネルの電極を形成する際に、用途や目的ごとにマスクを取り換えてフォトリソグラフィを行う必要があるので、製造コストが大幅に増大してしまう。
【０００５】  したがって、画像表示モードおよび外光反射モードのいずれにおいても優れた表示性能を有する表示装置および電子機器を提供することが望ましい。また、製造コストの大幅な増大を抑えることの可能な光学装置およびそれを備えた表示装置を提供することが望ましい。
【０００６】  本開示の一実施形態としての表示装置は、画像光として第１の偏光軸を有する第１の直線偏光を出射する表示部と、その表示部と対向して配置され、第１の直線偏光を透過する画像表示モードと外光を反射する外光反射モードとの切り替えを行う表示切替部とを有する。表示部は、第１の直線偏光を透過すると共に第１の偏光軸と交差する第２の偏光軸を有する第２の直線偏光を吸収する第１の吸収型偏光部材を含む。表示切替部は、表示部から遠ざかる方向に順に配置された反射型偏光部材と透過偏光軸可変部材と第２の吸収型偏光部材とを含む。反射型偏光部材は、第１の直線偏光を透過させると共に第２の直線偏光を反射するものである。透過偏光軸可変部材は、第１の直線偏光を第２の直線偏光へ変換して透過させる第１のモードと、第１の直線偏光を第２の直線偏光へ変換せずに透過させる第２のモードとの切り替えを行うものである。第２の吸収型偏光部材は、第１の直線偏光を透過すると共に第２の直線偏光を吸収するものである。第２の吸収型偏光部材の色相ｂ*値は、第１の吸収型偏光部材の色相ｂ*値以下である。また、本開示の一実施形態としての電子機器は、上記本開示の一実施形態としての表示装置と、その表示装置を制御する制御部とを備えるものである。
【０００７】  本開示の一実施形態としての表示装置および電子機器では、表示切替部により、画像表示モードと外光反射モードとの切り替えが行われる。また、第２の吸収型偏光部材の色相ｂ*値は、第１の吸収型偏光部材の色相ｂ*値以下である。このため、第２の吸収型偏光部材の色相ｂ*値が第１の吸収型偏光部材の色相ｂ*値よりも大きい場合と比べ、第２の吸収型偏光部材を配置することに起因する色付きが低減される。
【０００８】  本開示の光学装置は、外部からの制御に基づいて偏光を制御する偏光制御層と、偏光制御層の一方の面側に配置された偏光層と、偏光制御層の他方の面側に配置された第１反射層および第２反射層とを備えている。第１反射層は、反射偏光層であり、第２反射層は、１または複数の開口を有している。
【０００９】  本開示の他の表示装置は、表示切替部と、映像光として直線偏光光を出射する出射面を有する表示部と、表示切替部を制御する制御部とを備えている。表示切替部は、制御部による制御に基づいて偏光を制御する偏光制御層と、偏光制御層との関係で表示部とは反対側の位置に配置された偏光層と、偏光制御層との関係で表示部側の位置に配置された第１反射層および第２反射層とを有している。第１反射層は、反射偏光層であり、第２反射層は、１または複数の開口を有している。
【００１０】  本開示の光学装置および他の表示装置では、偏光制御層による偏光制御によって、ミラー状態と表示状態とが切り替えられる。ミラー状態では、例えば、偏光層側から偏光制御層に入射した偏光光の偏光軸が、第１反射層の偏光軸に対して直交するように、偏光制御層が制御される。従って、ミラー状態では、偏光層に入射した光は、第１反射層で反射され、戻ってくるので、光学装置の表面が、光学装置のユーザにとって、鏡のように機能する。表示状態では、例えば、１または複数の開口を介して、第１反射層側から偏光制御層に入射した偏光光（例えば映像光）の偏光軸が、偏光層の偏光軸に対して平行となるように、偏光制御層が制御される。従って、表示状態では、１または複数の開口を介して、第１反射層側から偏光制御層に入射した偏光光は、偏光層を透過して、光学装置のユーザに到達するので、光学装置の表面が、光学装置のユーザにとって、映像表示面のように機能する。
【００１１】  また、本開示の光学装置および他の表示装置では、１または複数の開口の大きさや形状は、第２反射層を形成する過程で、例えば、シート状部材に加工を施したり、溶融した材料を成型したりすることにより、形成可能である。従って、本開示の光学装置および他の表示装置において、特定の領域の表示状態だけを切り替えたり、所望の形状での表示を行ったりしたい場合に、偏光制御層の制御に用いられる電極を形成する際に、用途や目的ごとにマスクを取り換えてフォトリソグラフィを行う必要がない。
【００１２】  本開示の一実施形態としての表示装置および電子機器によれば、画像表示モードおよび外光反射モードのいずれにおいても優れた表示性能を発揮することができる。
【００１３】  また、本開示の光学装置および他の表示装置によれば、偏光制御層による偏光制御によって、光学装置が、鏡またはディスプレイのように機能するようにし、さらに、偏光制御層に対して偏光制御用に複数の電極を設けなくてもよいようにしたので、製造コストの大幅な増大を抑えることができる。
【００１４】  なお、本技術の効果は、ここに記載された効果に必ずしも限定されず、本明細書中に記載されたいずれの効果であってもよい。
【図面の簡単な説明】
【００１５】
【図１Ａ】本開示における第１の実施の形態に係る表示装置を表す断面図である。
【図１Ｂ】図１Ａに示した表示装置の作用を表す概念図である。
【図２】本開示における第２の実施の形態に係る表示装置を表す概念図である。
【図３】本開示における第３の実施の形態に係る表示装置を表す断面図である。
【図４】本開示における第４の実施の形態に係る表示装置を表す断面図である。
【図５】本開示における第５の実施の形態に係る表示装置を表す断面図である。
【図６】本開示における第６の実施の形態に係る表示装置を表す断面図である。
【図７】本開示における第７の実施の形態に係る表示装置を表す断面図である。
【図８】本開示における第８の実施の形態に係る表示装置を表す断面図である。
【図９Ａ】図８に示した表示装置における液晶分子のプレチルト方向を表す模式図である。
【図９Ｂ】図８に示した表示装置における液晶分子の挙動を表す模式図である。
【図９Ｃ】図８に示した表示装置における液晶分子の他の挙動を表す模式図である。
【図１０】本開示の表示装置を備えた電子機器の構成例を表す概念図である。
【図１１】実験例１−１，１−２における色度を表す特性図である。
【図１２】実験例２−１〜２−４における樹脂層の厚さとオレンジピールＷｄ値との関係を表す特性図である。
【図１３】実験例３−１〜３−３における液晶層のリターデーションと透過率との関係を表す特性図である。
【図１４】実験例４−１〜４−４における液晶層の位相差Δｎと透過率との関係を表す特性図である。
【図１５】本開示の第９の実施の形態に係る表示装置の概略構成の一例を表す図である。
【図１６】図１５の表示部および表示切替部の断面構成の一例を表す図である。
【図１７】図１６の表示部および表示切替部の作用の一例について説明するための概念図である。
【図１８】図１６の表示部および表示切替部の作用の一例について説明するための概念図である。
【図１９】図１６の第２反射層の平面構成の一例を表す図である。
【図２０】図１６の第２反射層の平面構成の一例を表す図である。
【図２１】図１６の第１反射層および第２反射層として用いられる反射偏光層を透過した光の輝度の波長依存性の一例を表す図である。
【図２２】図１５の表示部および表示切替部の断面構成の一変形例を表す図である。
【図２３】図２２の表示部および表示切替部の作用の一例について説明するための概念図である。
【図２４】図２２の表示部および表示切替部の作用の一例について説明するための概念図である。
【図２５】図１５の表示部および表示切替部の断面構成の一変形例を表す図である。
【図２６】図２５の表示部および表示切替部の作用の一例について説明するための概念図である。
【図２７】図２５の表示部および表示切替部の作用の一例について説明するための概念図である。
【図２８Ａ】図１６、図２２、図２５の表示切替部に追加されるミラー層の配置の一例を表す図である。
【図２８Ｂ】図１６、図２２、図２５の表示切替部に追加されるミラー層の配置の一例を表す図である。
【図２９】図１６、図２５の表示部および表示切替部の断面構成の一例を表す図である。
【発明を実施するための形態】
【００１６】  以下、本開示の実施の形態について図面を参照して詳細に説明する。なお、説明は以下の順序で行う。１．第１の実施の形態（表示切替部において、吸収型偏光板の透過軸と反射型偏光板の透過軸とが平行である例）２．第２の実施の形態（表示切替部において、吸収型偏光板の透過軸と反射型偏光板の透過軸とが直交する例）３．第３の実施の形態（表示部において、吸収型偏光板を液晶パネルの内部に設けるようにした例）４．第４の実施の形態（表示部と表示切替部との間にガラス基板を配置するようにした例）５．第５の実施の形態（表示切替部において位相差板を配置するようにした例）６．第６の実施の形態（表示切替部において強誘電性液晶パネルを配置するようにした例）７．第７の実施の形態（表示切替部において反強誘電性液晶パネルを配置するようにした例）８．第８の実施の形態（表示切替部においてＶＡ液晶パネルを配置するようにした例）９．適用例（電子機器）１０．実験例１１．第９の実施の形態      第１反射層が第２反射層よりも偏光制御層寄りに配置されている例（図１５〜図２１）１２．第９の実施の形態の変形例      変形例Ａ：第２反射層が第１反射層よりも偏光制御層寄りに                                              配置されている例（図２２〜図２４）      変形例Ｂ：ベゼルが第２反射層を兼ねている例（図２５〜図２７）      変形例Ｃ：環状のミラー層がさらに設けられている例（図２８Ａ、図２８Ｂ）      変形例Ｄ：第２反射層が第１反射層よりも大きくなっている例      変形例Ｅ：ベゼルが環状のミラー層を兼ねている例（図２９）      変形例Ｆ：偏光制御層のオンオフ制御のバリエーション
【００１７】
＜１．第１の実施の形態＞
図１Ａは本開示の一実施の形態としての表示装置１の断面構成を表したものである。この表示装置１は、２つの液晶パネルを重ね合せることにより画面状態と鏡面状態とを切替可能に構成したものである。このような表示装置では、画面状態および鏡面状態のいずれにおいても、表示切替部に設けられた液晶パネルと、観察者側に配置された吸収型偏光板とを透過した光を視認することとなるので、観察側に配置された吸収型偏光板と表示切替部の液晶パネルの透過特性によって視認態様が定まる。このため、上述した従来の表示装置では、吸収型偏光板と表示切替部の液晶パネルの光学特性によって表示状態とミラー状態のいずれにおいても吸収型偏光板の波長分散と液晶パネルの波長分散とに起因する色付きが発生する場合があった。また、鏡面状態においては、反射型偏光板は表示切替部の液晶パネルと表示部との間に配置されるので、表示切替部の表面における平坦度や表示部の表面における平坦度の影響を受けやすく、鏡面表示の際に滲みが視認されやすいという問題点も懸念される。鏡面状態においては、対象物を正確に、滲みなく映し出すと共に、対象物の色を正確に映し出すことが求められる。表示装置１は、このような要求を満足するものである。以下、詳細に説明する。
【００１８】
［表示装置１の構成］
表示装置１は、互いの主面同士が重なり合うように対向配置された表示部１０と表示切替部２０とを有する。表示部１０は所定の表示態様を形成する画像光を観察者へ向けて出射するものであり、表示切替部２０は表示部１０の観察者側に配置され、表示部１０からの画像光を透過する画像表示モードと外光を反射する外光反射モードとの切り替えを行うものである。なお、表示部１０と表示切替部２０とは、相互に少なくとも一部が重なっていればよい。
【００１９】（表示部１０）  表示部１０としては、例えばエレクトロルミネッセンス素子やプラズマディスプレイパネル、あるいは電子ペーパー等の各種の表示機構が適用されうるが、本実施の形態では液晶表示素子を用いた場合について説明する。
【００２０】
表示部１０の駆動モードとしては、ＴＦＴ（Thin Film Transistor）やＴＦＤ（Thin Film Diode）等の能動素子を用いたアクティブマトリクス駆動等のアクティブ駆動モードと、上記のような能動素子を用いない単純駆動若しくはマルチプレックス駆動等のパッシブ駆動モードとのいずれであってもよい。さらに、表示部１０のパネル構造としては、透過型パネル、反射型パネルまたは半反射半透過型パネルのいずれであってもよい。本実施の形態では透過型パネルを用いた場合について説明する。
【００２１】  表示部１０は、例えば図１Ａに示したように、表示切替部２０に近い位置から順に吸収型偏光板１１と液晶パネル１３と吸収型偏光板１４とバックライト１５とを有する。吸収型偏光板１１と液晶パネル１３の間に位相差板がさらに配置されていてもよい。
【００２２】  液晶パネル１３は、基板１３Ａと基板１３Ｂとの間に液晶層１３Ｃが挟持された構造を有する。基板１３Ａおよび基板１３Ｂは例えばガラス（石英を含む）などの透明材料からなり、所定の間隔（例えば１．５μｍから１０μｍ程度）を有するように対向配置され、シール材（図示せず）などによって貼り合わされている。また、基板１３Ａ，１３Ｂの内面には図示しない電極がそれぞれ形成されており、これらの電極によって液晶層１３Ｃに電界を印加することができるように構成されている。
【００２３】  液晶パネル１３の液晶モードとしては、例えばＴＮ（Twisted Nematic）モード、ＶＡ（Vertical Alignment）モード、ＩＰＳ（In Plane Switching）モード、ＦＦＳ（Fringe Field Switching）モード、ＳＴＮ（Super Twisted Nematic）モード、またはＥＣＢ（Electrically Controlled Birefringence）モードを用いることができる。これらの液晶モードを有する液晶表示素子は、偏光板を用いて表示態様を実現するように構成されているので、比較的低い駆動電圧でありながら高い表示品位を得ることができるので好ましい。この中でＶＡモードが特に好ましい。ＶＡモードの液晶表示素子は、表示部１０の吸収型偏光板１１，１４にストレスが負荷された場合に、他の液晶モード（例えばＩＰＳモード）に比べて黒浮きしにくいからである。ここで、黒浮きとは、黒表示の際に一部に光漏れが生じることをいう。表示装置１では、表示部１０と表示切替部２０とが例えば第３の樹脂層３３（以下、単に樹脂層３３という。）により貼り合わされている。表示部１０と表示切替部２０との貼り合わせの際、例えばゲル状の樹脂が硬化・収縮して樹脂層３３を形成するが、その樹脂が硬化および収縮するのに伴って表示部１０の偏光板（特に吸収型偏光板１１）にストレスを与えてしまう。ここで、例えば表示部１０としてＩＰＳモードの液晶表示素子を用いると表示領域の角隅部に黒浮きが僅かに発生することがあるが、表示部１０としてＶＡモードの液晶表示素子を用いることにより黒浮きを抑制することができる。樹脂層３３の色相ｂ*値は、例えば−０．５以上０．５以下であるとよい。また、樹脂層３３のヘイズ値は例えば１以下であるとよい。また、表示部１０（吸収型偏光板１１）と表示切替部２０（後出の反射型偏光板２１）とが樹脂層３３を介して貼り合わされているので、貼り合わせによる吸収型偏光板１１と反射型偏光板２１との界面近傍における凹凸の発生を抑制できる。そのような凹凸の発生を抑制することにより、凹凸に起因する鏡状態（外光反射モード）での滲みを低減できる。樹脂層３３としては、例えばＬｉｎｔｅｃ社製の高透明基材レステープＣＴＬ−ＮＣ１０３や、ＤＩＣ社製の基材レス光学用両面接着テープＤＡＩＴＡＣ  ＺＢ７０１０Ｗ−１０などを用いることができる。
【００２４】
吸収型偏光板１１，１４は、表示部１０の構成上、必要とされる配置（例えば直交ニコル配置）に設定される。吸収型偏光板１１，１４は偏光透過軸をそれぞれ有し、その偏光透過軸と平行な振動面を有する直線偏光を透過し、その偏光透過軸と交差する（好ましくは直交する）方向に平行な振動面を有する直線偏光を吸収するものである。吸収型偏光板１１，１４としては、例えば延伸したポリビニルアルコールにヨウ素を吸収させることにより偏光機能を付与した膜の両面に、トリアセチルセルロースの保護層を施したものを用いることができる。
【００２５】  バックライト１５は、背後から液晶パネル１３に対してほぼ均一な照度で照明を行うことができるものであればよい。例えば、導光板と、この導光板の端面部に配置された光源とを含む端面発光型のバックライトや、導光板と、この導光板の背面に配置された光源とを含む背面発光型のバックライトなどが挙げられる。
【００２６】（表示切替部２０）  表示切替部２０ は、上記の表示部１０から観察者に向けて反射型偏光板２１と液晶パネル２２と吸収型偏光板２３とが順に配置されたものである。なお、吸収型偏光板２３と液晶パネル２２との間、および反射型偏光板２１と液晶パネル２２との間の少なくとも一方に、視野角向上フィルムを配置してもよい。
【００２７】
反射型偏光板２１は、透過偏光軸２１Ｊ（後出）を有し、その透過偏光軸２１Ｊと平行な振動面を有する直線偏光を透過し、その透過偏光軸２１Ｊと交差する（好ましくは直交する）方向に平行な振動面を有する直線偏光を反射するものである。具体的には、反射型偏光板２１は、表示部１０から出射される第１の直線偏光Ｌｐ（後出）は透過し、これと直交する透過偏光軸を有する第２の直線偏光Ｌｓ（後出）は鏡面反射する機能を有するものを使用する。そのような部材としては、例えば国際出願の国際公開番号：ＷＯ９５／２７９１９号に開示されている異なる複屈折性高分子フィルムを交互に複数層積層した複屈折反射型偏光フィルム、あるいは、コレステリック液晶層の表と裏に１／４波長板を配置したものを用いることができる。複屈折反射型偏光フィルムとしては、所定の直線偏光を透過し、その直線偏光の偏光軸と直交する偏光軸を有する直線偏光を鏡面反射する機能を有するものが３Ｍ社（米国）からＤＢＥＦという商品名で市販されており、これを反射型偏光板２１として使用することができる。
【００２８】
一方、反射型偏光板２１として、コレステリック液晶層の表と裏に１／４波長板を配置したもので構成する場合、配向処理された２枚の透明基板間に低分子コレステリック液晶を収めた液晶セルや、高分子コレステリック液晶層をガラスあるいは透明樹脂等の平坦かつ光学的に等方で透明な基板上に形成したものを用いることができる。コレステリック液晶層は、ヘリカルな分子配列に基づく特異な光学特性を示すもので、ヘリカル軸に平行に入射した光が、コレステリック螺旋の回転方向に応じて、一方の回転方向の円偏光は反射し、他方は透過するという選択反射を示すものである。選択反射の波長域は、分子配列のピッチによって決まるので、可視波長域全域で選択反射が起こるようにするためには、ピッチの異なる複数のコレステリック液晶層を積層して用いることが必要である。この場合、可視波長域全域での選択反射を得るために、ピッチの異なるコレステリック液晶層を複数層重ねる代わりにAsia Display95 Digest, p735, The Institute of Television Engineers of Japan (ITE) &The Society for Information Display (SID) に記載されているような、ピッチを連続的に変化させたコレステリック液晶層を用いてもよい。また選択反射の波長域を、低波長側（４００〜６００ｎｍ）の反射率から高波長側（６００ｎｍ以上の可視光域）へシフトさせることにより、色相ｂ*値を−方向にすることが可能になり好ましい。
【００２９】  また、反射型偏光板２１として、コレステリック液晶層の表と裏に１／４波長板を配置したものを用いる場合、コレステリック液晶層の裏側、すなわち表示部１０側に配置される１／４波長板は、その遅相軸を以下のような方向に設定するとよい。すなわち、表示部１０から出射して反射型偏光板２１に入射する第１の直線偏光Ｌｐを、コレステリック液晶層を透過する円偏光に変換するように、その遅相軸を配置する。一方、同じくコレステリック液晶層の表側、すなわち液晶パネル２２側に配置される１／４波長板は、コレステリック液晶層を透過する円偏光が第１の直線偏光Ｌｐへ変換されるように、その遅相軸を配置する。
【００３０】  このようにコレステリック液晶層の表と裏に１／４波長板を配置した構成の反射型偏光板２１に第２の直線偏光Ｌｓが入射した場合、その第２の直線偏光Ｌｓは、１／４波長板の作用によりコレステリック液晶層を透過する円偏光とは逆周りの円偏光に変換される。このため、その第２の直線偏光Ｌｓは、コレステリック液晶層においてで選択的に反射される。コレステリック液晶層で反射した円偏光は、再び１／４波長板を透過する際、その１／４波長板の作用で第２の直線偏光Ｌｓに変換される。
【００３１】  なお、この構成の反射型偏光板２１に使用する１／４波長板は、可視波長の全域において１／４波長板として機能するものを用いることが望ましい。１／４波長板としては、可視波長域において高い透過率を有する、延伸した高分子フィルム、例えばポリビニルアルコール、ポリカーボネート、ポリサルフォン、ポリスチレン、ポリアリレート等を用いることができる。このほかにも雲母、水晶、分子軸を一方向に揃えて配向した液晶層等を用いることができる。
【００３２】  また、一般に１／４波長板を構成する材質の屈折率の波長依存性（以下、波長分散）により、一種類の位相差板で可視波長の全域に対し１／４波長板として機能する位相差板を構成することは困難である。しかし、波長分散の異なる少なくとも２種類の位相差板をその光学軸を直交するように貼り合わせることにより、広い波長域において１／４波長板として機能するよう構成したものを使用すればよい。
【００３３】  反射型偏光板２１と液晶パネル２２とは、例えば２５μｍ以下の厚さを有する第１の樹脂層３１（以下、単に樹脂層３１という。）を介して貼り合わされているとよい。貼り合わせによる液晶パネル２２と反射型偏光板２１との界面近傍における凹凸の発生を抑制できるからである。そのような凹凸の発生を抑制することにより、凹凸に起因する鏡状態（外光反射モード）での滲みを低減できる。樹脂層３１の色相ｂ*値は、例えば−０．５以上０．５以下であるとよい。また、樹脂層３１のヘイズ値は例えば１以下であるとよい。このような樹脂層３１としては、例えばＬｉｎｔｅｃ社製の高透明基材レステープＣＴＬ−ＮＣ１０３や、ＤＩＣ社製の基材レス光学用両面接着テープＤＡＩＴＡＣ  ＺＢ７０１０Ｗ−１０などを用いることができる。
【００３４】  液晶パネル２２は、第１の直線偏光Ｌｐを、それと直交する偏光軸を有する第２の直線偏光Ｌｓへ変換して透過させる第１のモードと、第１の直線偏光Ｌｐを第２の直線偏光Ｌｓへ変換せずにそのまま透過させる第２のモードとの切り替えを行うものである。液晶パネル２２は、基板２２Ａと基板２２Ｂとの間に液晶層２２Ｃが挟持された構造を有する。基板２２Ａおよび基板２２Ｂは例えばガラス（石英を含む）などの透明材料からなり、所定の間隔（例えば１．５μｍから１０μｍ程度）を有するように対向配置され、シール材（図示せず）などによって貼り合わされている。基板２２Ａ，２２Ｂの構成材料としては、ガラスを用いたもののほか、プラスチックなどの樹脂を用いたものであってもよい。基板２２Ａおよび基板２２Ｂのいずれか一方にガラスを用いると共に他方に樹脂を用いたものであってもよい。基板２２Ａおよび基板２２Ｂの構成材料として樹脂を用いることによって薄型化を図り、耐衝撃性の向上を図ることができる。また、ガラス基板としては無アルカリガラスが好ましい。
【００３５】  また、基板２２Ａおよび基板２２Ｂの内面には図示しない透明電極がそれぞれ形成されており、これらの透明電極によって液晶層２２Ｃに所定の電界を印加できるように構成される。この液晶パネル２２の場合には、液晶層２２Ｃの両側に、有効表示領域内をほぼ全面的に覆うように構成された一体の上記透明電極がそれぞれ一つずつ設けられていてもよい。ただし、上記透明電極は液晶層２２Ｃの両側にそれぞれ複数形成され、相互に独立に電位を供給できるように構成されていても構わない。
【００３６】
吸収型偏光板２３は透過偏光軸２３Ｊ（後出）を有し、その透過偏光軸２３Ｊと平行な振動面を有する直線偏光を透過し、その透過偏光軸２３Ｊと交差する（好ましくは直交する）方向に平行な振動面を有する直線偏光を吸収するものである。
【００３７】  液晶パネル２２の表示モードとしては、ＴＮモード、ＥＣＢモード、ＳＴＮモード、ＢＴＮ（Bistable Twisted Nematic）モード、ＶＡモード、ＩＰＳモード、強誘電性液晶モード、または反強誘電性液晶モードのいずれかであることが好ましい。
【００３８】  液晶パネル２２と吸収型偏光板２３とは、例えば２５μｍ以下の厚さを有する第２の樹脂層３２（以下、単に樹脂層３２という。）を介して貼り合わされているとよい。貼り合わせによる液晶パネル２２と吸収型偏光板２３との界面近傍における凹凸の発生を抑制できるからである。そのような凹凸の発生を抑制することにより、凹凸に起因する鏡面状態（外光反射モード）での滲みを低減できる。樹脂層３２の色相ｂ*値は、例えば−０．５以上０．５以下であるとよい。また、樹脂層３２のヘイズ値は例えば１以下であるとよい。このような樹脂層３２としては、例えばＬｉｎｔｅｃ社製の高透明基材レステープＣＴＬ−ＮＣ１０３や、ＤＩＣ社製の基材レス光学用両面接着テープＤＡＩＴＡＣ  ＺＢ７０１０Ｗ−１０またはＤＡＩＴＡＣ  ＺＢ７０１１Ｗなどを用いることができる。なお、ＤＡＩＴＡＣ  ＺＢ７０１１Ｗの色相ｂ*値は０．１１であり、ＤＡＩＴＡＣ  ＺＢ７０１０Ｗ−１０のヘイズ値（ＪＩＳ  Ｋ７１３６）は０．４である。
【００３９】  表示切替部２０では、液晶パネル２２と吸収型偏光板２３との間、および液晶パネル２２と反射型偏光板２１との間にそれぞれ位相差板（図示せず）が配置されていてもよい。
【００４０】  反射型偏光板２１および吸収型偏光板１１は、反射型偏光板２１の透過偏光軸と吸収型偏光板１１の透過偏光軸とが実質的に平行となり、または、反射型偏光板２１の透過偏光軸と吸収型偏光板１１の透過偏光軸とが実質的に直交するように配置されていることが好ましい。また、表示装置１では、吸収型偏光板１１の透過偏光軸と吸収型偏光板１４の透過偏光軸とは互いに実質的に直交していることが望ましい。したがって、反射型偏光板２１の透過偏光軸と吸収型偏光板１１の透過偏光軸とが実質的に平行である場合、反射型偏光板２１の透過偏光軸と吸収型偏光板１４の透過偏光軸とは実質的に直交しているとよい。一方、反射型偏光板２１の透過偏光軸と吸収型偏光板１１の透過偏光軸とが実質的に直交している場合、反射型偏光板２１の透過偏光軸と吸収型偏光板１４の透過偏光軸とは実質的に平行であるとよい。
【００４１】  表示切替部２０の駆動モードとしては、表示部１０の駆動モードと同様にＴＦＴやＴＦＤ等の能動素子を用いたアクティブマトリクス駆動等のアクティブ駆動モードと、上記のような能動素子を用いない単純駆動もしくはマルチプレックス駆動等のパッシブ駆動モードのいずれであってもよい。
【００４２】  この表示装置１では、吸収型偏光板２３の透過偏光軸と吸収型偏光板１１の透過偏光軸とが実質的に直交である場合、吸収型偏光板２３の色相ｂ*値は、少なくとも吸収型偏光板１１の色相ｂ*値以下であるとよい。一方、吸収型偏光板２３の透過偏光軸と吸収型偏光板１４の透過偏光軸とが実質的に直交である場合、吸収型偏光板２３の色相ｂ*値は、少なくとも吸収型偏光板１４の色相ｂ*値以下であるとよい。より好ましくは、吸収型偏光板２３の色相ｂ*値は、吸収型偏光板１１の色相ｂ*値以下であると共に吸収型偏光板１４の色相ｂ*値以下であるとよい。
【００４３】  表示部１０の吸収型偏光板１１，１４としては、例えば、住友化学社製のＳＲＣＺ４ＱＪやポラテクノ社製のＳＫＮ−１８２４３Ｔなどを用いることができる。上記ＳＲＣＺ４ＱＪの色相ｂ*値は４．０であり、上記ＳＫＮ−１８２４３Ｔの色相ｂ*値は３.５５である。
【００４４】  表示切替部２０の吸収型偏光板２３の色相ｂ*値は例えば３．５以下であることが好ましく、１．５以下であることがさらに好ましい。色相ｂ*値が３．５以下の吸収型偏光板２３としては、例えば日東電工社製のＳＥＧ１４２５ＤＵを使用することができる。色相ｂ*値が１．５以下の吸収型偏光板２３としては、例えば日東電工社製のＥＧＷ１２２５ＤＵやポラテクノ社製のＳＫＷ−１８２４５Ｔなどを使用することができる。上記ＳＫＷ−１８２４５Ｔの色相ｂ*値は０.４３である。
【００４５】  また、表示部１０において、吸収型偏光板１１の偏光透過軸と吸収型偏光板１４の偏光透過軸とを同方向に揃えるように吸収型偏光板１１と吸収型偏光板１４とを重ね合わせた場合の色相ｂ*値は７以下が好ましく、３以下がさらに好ましく、１以下がよりいっそう好ましい。このように２つの吸収型偏光板１１，１４における各吸収軸を同じ方向に揃えて重ねた場合の色相ｂ*値が７以下となるものとしては、例えば日東電工社製のＳＥＧ１４２５ＤＵなどが挙げられる。また、上記の色相ｂ*値が３以下となるものとしては、例えば日東電工社製のＥＧＷ１２２５ＤＵやポラテクノ社製のＳＫＷ−１８２４５Ｔなどが挙げられる。
【００４６】  また、液晶層２２Ｃは、０.３６μｍ以上０.５４μｍ未満のリターデーション値（Δｎ・ｄ）を有するとよい。液晶層２２ＣのΔｎ・ｄが上述の範囲内であることにより、表示部１０によって形成された表示画像の色付きを低減することができるとともに、表示画像をより明るくすることができるからである。また、リターデーション値が小さいことにより、表示画像の滲みも少なくなり、ある程度の広い視野角も確保することができる。
【００４７】  また、液晶層２２Ｃの波長５５０ｎｍにおけるΔｎが０．０９以上０．１４未満であるとよい。これにより、鏡状態（外光反射モード）での透過特性、特に４００ｎｍから５００ｎｍの波長光における透過特性が向上するからである。
【００４８】［表示装置１の動作］  この表示装置１では、表示切替部２０における液晶パネル２２の液晶層２２Ｃに印加する電界の強度を制御したり、その電界の印加の有無を切り換えたりすることにより、表示切替部２０を透過状態（画面状態）としたり、表示切替部２０を鏡面状態としたりすることができる。
【００４９】  ここで、表示切替部２０の液晶パネル２２がＴＮ型液晶パネルであり、反射型偏光板２１の透過偏光軸と吸収型偏光板２３の透過偏光軸とが実質的に平行となるように配置されている場合の挙動について、図１Ａと併せて図１Ｂを参照して説明する。
【００５０】（液晶層２２Ｃに電界が印加されていない場合の挙動）  液晶層２２Ｃに電界が印加されていない場合（図１Ｂの上段参照）、液晶層２２Ｃに含まれるネマチック液晶は９０度のツイスト状態にあり、基本的に９０度の旋光性を有する第１のモードとなる。このような状況下では、表示切替部２０に入射した外光Ｌ１は、吸収型偏光板２３を通過することによって吸収型偏光板２３の透過偏光軸２３Ｊと平行な振動面を有する第１の直線偏光Ｌｐになる。この第１の直線偏光Ｌｐはそののち液晶パネル２２を通過することにより吸収型偏光板２３の透過偏光軸２３Ｊと直交する振動面を有する第２の直線偏光Ｌｓに変換される。この第２の直線偏光Ｌｓは反射型偏光板２１の透過偏光軸２１Ｊと直交方向の振動面を有するので、反射型偏光板２１において反射される。反射した第２の直線偏光Ｌｓは、再び液晶パネル２２を透過することにより吸収型偏光板２３の透過偏光軸２３Ｊと平行な振動面を有する第１の直線偏光Ｌｐとなり、そののち吸収型偏光板２３を透過して観察者に視認される。
【００５１】  一方、表示部１０から出射された画像光Ｌ２は、上記と同様に吸収型偏光板１１の透過偏光軸１１Ｊと平行な振動面を有する第１の直線偏光Ｌｐである。この第１の直線偏光Ｌｐは、反射型偏光板２１をそのまま透過して液晶パネル２２に入射する。その第１の直線偏光Ｌｐは、液晶パネル２２を通過することにより吸収型偏光板２３の透過偏光軸２３Ｊと直交する振動面を有する第２の直線偏光Ｌｓに変換され、吸収型偏光板２３により吸収される。このため、表示部１０から出射された画像光は外部から視認されない。
【００５２】  このように、液晶層２２Ｃに電界が印加されていない場合においては、表示部１０からの画像光は外部から視認できず、また、外光Ｌ１が観察者へ向けて反射されるので、表示画面は鏡面状態（外光反射モード）となる。
【００５３】（液晶層２２Ｃに電界が印加されている場合の挙動）  次に、液晶層２２Ｃに所定のしきい値以上の電界が印加されている場合（図１Ｂの下段参照）の挙動について説明する。この場合、液晶層２２Ｃに含まれるネマチック液晶のツイスト状態は解消され、液晶パネル２２はその光軸方向に透過する光に対する旋光性を失い、第２のモードとなる。表示部１０から出射する光（すなわち、表示部１０の表示画像を構成する光）は、吸収型偏光板１１によってその透過偏光軸１１Ｊと平行な振動面を有する第１の直線偏光Ｌｐとなっている。この第１の直線偏光Ｌｐは、反射型偏光板２１を透過し、液晶パネル２２に入射する。入射した第１の直線偏光Ｌｐはその振動面が変化しないので、そのまま吸収型偏光板２３を透過して視認される（画面状態）。また、この場合、表示切替部２０に入射した外光Ｌ１は、吸収型偏光板２３を透過することにより第１の直線偏光Ｌｐになる。この第１の直線偏光Ｌｐはそののち液晶パネル２２、反射型偏光板２１、吸収型偏光板１１、液晶パネル１３を順次そのまま透過して吸収型偏光板１４に入射する。第１の直線偏光Ｌｐは、吸収型偏光板１４の透過偏光軸１４Ｊと直交する振動面を有するので、吸収型偏光板１４により吸収される。
【００５４】
ところで、液晶パネル２２において液晶層２２Ｃに含まれる液晶のツイスト状態が完全に解消せず、一部のみ解消する程度の電界を印加してもよい。この場合、液晶パネル２２はその光軸方向に透過する光に対する旋光性を一部失い第３のモードとなる。したがって、表示切替部２０に入射した外光Ｌ１が吸収型偏光板２３を透過することにより生成された直線偏光Ｌｐは、液晶パネル２２を通過する際に自らの振動面を０度より大きく９０度未満の角度で変化させるので、反射型偏光板２１において一部反射し、他の一部は反射型偏光板２１を透過する。反射型偏光板２１における反射光は再び液晶パネル２２を透過して振動面を０度より大きく９０度未満で変化させるので、一部吸収型偏光板２３を透過して視認される。但し、上記鏡面状態と比較すると、反射される光の強度は弱い。
【００５５】  表示部１０から出射する光（すなわち、表示部１０の表示画像を構成する表示画像光）Ｌ２は、吸収型偏光板１１によってその透過偏光軸１１Ｊと平行な振動面を有する第１の直線偏光Ｌｐとなっている。この第１の直線偏光Ｌｐは、反射型偏光板２１をそのまま透過したのち液晶パネル２２へ入射する。第１の直線偏光Ｌｐは液晶パネル２２を透過する際に自らの振動面を０度より大きく９０度未満で変化させるので、吸収型偏光板２３においてその一部が吸収され、他の一部が透過される。したがって、表示部１０からの表示画像光の一部は外部から視認できる。上記のように、液晶パネル２２における液晶のツイスト状態の一部のみを解消する電界印加状態とすると、外光Ｌ１の一部が反射される一方、表示部１０からの表示画像光の一部が透過されることとなり、表示画面はいわゆるハーフミラー状態となる。
【００５６】  ここで、表示切替部２０の吸収型偏光板２３の色相ｂ*値は、表示部１０の吸収型偏光板１１，１４の色相ｂ*値以下としたので、観察者に視認される表示画像および反射像における色付き（特に黄色の色付き）が抑制される。
【００５７】
［表示装置１の作用効果］
表示装置１のように、２つの液晶パネル（液晶パネル１３および液晶パネル２２）を重ね合せることにより画面状態と鏡面状態とを切替可能に構成し、表示部１０において透過型の液晶パネル１３を採用した場合には、バックライト１５からの光は吸収型偏光板１１と吸収型偏光板１４とを１回ずつ（計２回）透過することとなる。すなわち、バックライト１５からの光に対する色付きに関し、吸収型偏光板１１と吸収型偏光板１４とがそれぞれ寄与する。一方、表示切替部２０においては、画像表示状態では表示画像光は吸収型偏光板２３を１回透過するだけである。このため、表示切替部２０による色付き（吸収型偏光板２３による色付き）の、最終的な表示画像および反射像に対する寄与は表示部１０における色付きの半分程度の寄与であり、表示切替部２０を設けることの色付きへの影響は小さいとも思われる。
【００５８】  しかしながら実際には、表示部１０においては吸収型偏光板１１の光吸収軸と吸収型偏光板１４の光吸収軸とを直交するように吸収型偏光板１１および吸収型偏光板１４を配置することが多い。その場合、吸収型偏光板１１，１４による黄色方向の色付きを表す色相ｂ*値は、吸収型偏光板１１の光吸収軸と吸収型偏光板１４の光吸収軸とを平行にした場合の色相ｂ*値に比べてかなり小さくなる。すなわち、表示部１０において吸収型偏光板１１の光吸収軸と吸収型偏光板１４の光吸収軸とが直交する場合、これに従来の表示切替部を追加で設置すると、その表示切替部を設置しない場合に比べて色相ｂ*値の増加が大きくなってしまう。
【００５９】  さらに、この表示装置１において鏡面状態とした場合、外光が観察者側から吸収型偏光板２３と液晶パネル２２とを順次通過し、さらに反射型偏光板２１で反射されたあとに再び液晶パネル２２と吸収型偏光板２３とを通過する。吸収型偏光板２３の光吸収軸と反射型偏光板２１の光吸収軸とが平行であるので、吸収型偏光選択手段による黄色方向の色付き（色相ｂ*値の増加）の点で不利な構成ともいえる。
【００６０】  そこで、本実施の形態の表示装置１では、吸収型偏光板２３の色相ｂ*値を、吸収型偏光板２３の透過偏光軸と実質的に直交する透過偏光軸を有する吸収型偏光板１１（もしくは吸収型偏光板１４）の色相ｂ*値以下としている。このような構成により、観察者に視認される表示画像および反射像における色付き（特に黄色の色付き）が低減される。吸収型偏光板２３の色相ｂ*値は負の値であってもよい。このため、この表示装置１によれば、画面状態（画像表示モード）および鏡面状態（外光反射モード）のいずれにおいても優れた表示性能を発揮することができる。
【００６１】  また、表示装置１では、液晶パネル２２の表示モードとしてＴＮモード、ＥＣＢモード、ＳＴＮモード、ＢＴＮモード、ＶＡモード、ＩＰＳモード、強誘電性液晶モード、または反強誘電性液晶モードのいずれかを採用することにより、比較的低い駆動電圧で高いコントラスト比が得られる。上記の表示モードを採用した液晶パネル２２は、偏光板を用いて液晶層２２Ｃに入射する光の偏光状態を変調することで表示を行うものだからである。また、液晶パネル２２が偏光軸を９０°の奇数倍変化させるものであれば、画面状態と鏡面状態との切替を容易に行うことができる。
【００６２】  また、この表示装置１では、例えば２５μｍ以下の厚さを有する樹脂層３１〜３３をそれぞれ所定の位置に配置するようにしたので、貼り合わせ面における凹凸に起因する鏡面状態での滲みの発生を抑制し、優れた表示性能を発揮することができる。さらに、樹脂層３１〜３３の色相ｂ*値を、その絶対値をより小さく、例えば−０．５以上０．５以下とすれば、表示画像および反射像における黄色の色付きをより低減することができる。樹脂層３１〜３３のヘイズ値が１以下であれば、画面状態および鏡面状態において表示装置１の画面における表示画像および反射像がより鮮明となる。
【００６３】  また、液晶パネル２２の液晶層２２Ｃが０.３６μｍ以上０.５４μｍ未満のΔｎ・ｄを有するようにすれば、表示部１０によって形成された表示画像の色付きを低減することができるとともに、その表示画像をより明るくすることができる。また、表示画像の滲みも少なくなり、ある程度の広い視野角も確保することができる。
【００６４】  また、液晶層２２Ｃの波長５５０ｎｍにおけるΔｎを０．０９以上０．１４未満とすれば、鏡面状態での透過特性、特に４００ｎｍから５００ｎｍの波長光における透過特性を向上させることができる。
【００６５】  また、表示切替部２０の反射型偏光板２１の色相ｂ*値が−０．５以上０．５以下でれば黄色の色付きをより抑制できる。特に、その色相ｂ*値が−０．５以上０未満の場合には黄色の色付きをよりいっそう改善できる。
【００６６】  さらに、表示切替部２０において、透過偏光軸２１Ｊと透過偏光軸２３Ｊとを実質的に平行となるように反射型偏光板２１および吸収型偏光板２３を配置するようにしたので、表示切替部２０の液晶パネル２２に電圧を印加しない状態で鏡面状態を実現できる。このため、鏡面状態での消費電力の低減を図ることができる。
【００６７】＜２．第２の実施の形態＞［表示装置２の構成］  図２は本開示の第２の実施の形態としての表示装置２の概略構成を表したものである。表示装置２は、表示切替部２０において、反射型偏光板２１の透過偏光軸２１Ｊと吸収型偏光板２３の透過偏光軸２３Ｊとが互いに直交していることを除き、他は上記第１の実施の形態における表示装置１と同様の構成を有する。
【００６８】［表示装置２の動作］  この表示装置２においても、表示切替部２０における液晶パネル２２の液晶層２２Ｃに印加する電界の強度を制御したり、その電界の印加の有無を切り換えたりすることにより、表示切替部２０を透過状態（画面状態）としたり、表示切替部２０を鏡面状態としたりすることができる。
【００６９】  ここで、表示切替部２０の液晶パネル２２がＴＮ型液晶パネルである場合の挙動について、図２を参照して説明する。
【００７０】（液晶層２２Ｃに電界が印加されていない場合の挙動）  液晶層２２Ｃに電界が印加されていない場合（図２の上段参照）、液晶層２２Ｃに含まれるネマチック液晶は９０度のツイスト状態にあり、基本的に９０度の旋光性を有する第１のモードとなる。表示部１０から出射する光（すなわち、表示部１０の表示画像を構成する光）は、吸収型偏光板１１によってその透過偏光軸１１Ｊと平行な振動面を有する第１の直線偏光Ｌｐとなっている。この第１の直線偏光Ｌｐは、反射型偏光板２１を透過し、液晶パネル２２に入射する。液晶パネル２２に入射した第１の直線偏光Ｌｐの振動面は液晶パネル２２を通過することにより９０度回転し、吸収型偏光板２３の透過偏光軸２３Ｊと平行な振動面を有する第２の直線偏光Ｌｓとなる。その第２の直線偏光Ｌｓはそのまま吸収型偏光板２３を透過して観察者に視認される（画面状態）。また、この場合、表示切替部２０に入射した外光Ｌ１は、吸収型偏光板２３を透過することにより第２の直線偏光Ｌｓになる。この第２の直線偏光Ｌｓはそののち液晶パネル２２を透過することにより９０度回転し、反射型偏光板２１の透過偏光軸２１Ｊと平行な振動面を有する第１の直線偏光Ｌｐとなる。その第１の直線偏光Ｌｐはそのまま反射型偏光板２１、吸収型偏光板１１および液晶パネル１３を順次透過して吸収型偏光板１４に入射する。その第１の直線偏光Ｌｐは、吸収型偏光板１４の透過偏光軸１４Ｊと直交する振動面を有するので、吸収型偏光板１４により吸収される。
【００７１】（液晶層２２Ｃに電界が印加されている場合の挙動）  次に、液晶層２２Ｃに所定のしきい値以上の電界が印加されている場合（図２の下段参照）の挙動について説明する。この場合、液晶層２２Ｃに含まれるネマチック液晶のツイスト状態は解消され、液晶パネル２２はその光軸方向に透過する光に対する旋光性を失い、第２のモードとなる。このような状況下では、表示切替部２０に入射した外光Ｌ１は、吸収型偏光板２３を通過することによって吸収型偏光板２３の透過偏光軸２３Ｊと平行な振動面を有する第２の直線偏光Ｌｓになる。この第２の直線偏光Ｌｓは、そののち第１の直線偏光Ｌｐに変換されることなく液晶パネル２２をそのまま通過し、反射型偏光板２１に入射する。この第２の直線偏光Ｌｓは反射型偏光板２１の透過偏光軸２１Ｊと直交方向の振動面を有するので、反射型偏光板２１において反射される。反射した第２の直線偏光Ｌｓは、再び液晶パネル２２と吸収型偏光板２３とを透過して観察者に視認される。
【００７２】  一方、表示部１０から出射された画像光Ｌ２は、吸収型偏光板１１の透過偏光軸１１Ｊと平行な振動面を有する第１の直線偏光Ｌｐであるから、反射型偏光板２１をそのまま透過して液晶パネル２２に入射する。その第１の直線偏光Ｌｐは、液晶パネル２２をそのまま通過したのち、吸収型偏光板２３に入射する。第１の直線偏光Ｌｐは、透過偏光軸２３Ｊと直交する振動面を有するので吸収型偏光板２３により吸収される。このため、表示部１０から出射された画像光は外部から視認されない。
【００７３】  このように、液晶層２２Ｃに電界が印加されている場合においては、表示部１０からの画像光は外部から視認できず、また、外光Ｌ１が観察者へ向けて反射されるので、表示画面は鏡面状態（外光反射モード）となる。
【００７４】  なお、表示装置２においても、表示装置１と同様にしていわゆるハーフミラー状態も実現できる。
【００７５】［表示装置２の作用効果］  このように、表示装置２においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００７６】  また、表示切替部２０において、透過偏光軸２１Ｊと透過偏光軸２３Ｊとを実質的に直交させるように反射型偏光板２１および吸収型偏光板２３を配置するようにしたので、鏡面状態での視野角特性の向上が期待できる。なお、吸収型偏光板２３と液晶パネル２２との間、および反射型偏光板２１と液晶パネル２２との間の少なくとも一方に視野角向上フィルムを配置するようにしてもよい。
【００７７】＜３．第３の実施の形態＞［表示装置３の構成］  図３は本開示の第３の実施の形態としての表示装置３の断面構成を表したものである。表示装置３は、表示部１０において、吸収型偏光板１１の配置位置を変更したことを除き、他は上記第１の実施の形態における表示装置１と同様の構成を有する。
【００７８】  具体的には、表示装置３では、吸収型偏光板１１を、反射型偏光板２１と基板１３Ａとの間に配置するのではなく基板１３Ａと液晶層１３Ｃとの間に配置するようにした。
【００７９】［表示装置３の作用効果］  表示装置３においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００８０】  さらに、表示装置３では、吸収型偏光板１１を液晶パネル１３の内部に設けるようにしたので、反射型偏光板２１と基板１３Ａとを樹脂層などにより接着することにより表示部１０と表示切替部２０との貼り合わせが実現できる。このため、吸収型偏光板１１の表面の凹凸に起因する反射型偏光板２１における凹凸の発生を回避し、鏡面状態での滲みの発生を抑制することができる。なお、液晶パネル１３の内部に吸収型偏光板１１を形成する方法の一例としては、例えば特開２０１１−４８３１０に示された方法が挙げられる。
【００８１】＜４．第４の実施の形態＞［表示装置４の構成］  図４は本開示の第４の実施の形態としての表示装置４の断面構成を表したものである。表示装置４は、表示部１０と表示切替部２０との間に、より詳細には吸収型偏光板１１と反射型偏光板２１との間にガラス基板１６を配置するようにしたものである。その点を除き、他は上記第１の実施の形態における表示装置１と同様の構成を有する。
【００８２】［表示装置４の作用効果］  表示装置４においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００８３】  表示装置４では、吸収型偏光板１１と反射型偏光板２１との間にガラス基板１６が介在しているので、反射型偏光板２１に対する吸収型偏光板１１の凹凸の影響を回避できる。すなわち、反射型偏光板２１をガラス基板１６に貼り合わせることにより、反射型偏光板２１における凹凸の発生を防止することができる。その結果、鏡面状態での滲みの発生を抑制することができる。また、ガラス基板１６を用いることにより、樹脂層と比較して光学的な透過率の損失などを低減できる。
【００８４】＜５．第５の実施の形態＞［表示装置５の構成］  図５は本開示の第５の実施の形態としての表示装置５の断面構成を表したものである。表示装置５では、液晶パネル２２の液晶モードとしてＳＴＮモードを採用すると共に、液晶パネル２２と吸収型偏光板２３の間に位相差板２４を配置した。液晶パネル２２の液晶層２２Ｃにおける液晶のツイスト角は２７０°とした。また、表示部１０における画素配置は、複数のストライプ電極の交点に各画素を配置するマトリクス型を採用した。これらの点を除き、他は上記第１の実施の形態における表示装置１と同様の構成を有する。
【００８５】［表示装置５の作用効果］  表示装置５においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００８６】  表示装置５では、液晶パネル２２にＳＴＮモードの液晶表示素子を用いるようにした。すなわち、双安定液晶表示素子である液晶パネル２２を用いるようにしたので、常時駆動する必要がなくなり消費電力の低減を図ることができる。このＳＴＮモードは、駆動電圧のしきい値特性が急峻である。しきい値特性が急峻とは、透過偏光軸の変化が印加電圧に対して急激に変化していることを意味する。しきい値特性が急峻であると、能動素子を用いない単純駆動若しくはマルチプレックス駆動等のパッシブ駆動モードで走査線数を増やしやすく好ましい。
【００８７】＜６．第６の実施の形態＞［表示装置６の構成］  図６は本開示の第６の実施の形態としての表示装置６の断面構成を表したものである。表示装置６は、液晶パネル２２の代わりに液晶パネル２５を有するようにしたことを除き、他は上記第１の実施の形態における表示装置１と同様の構成を有する。
【００８８】  液晶パネル２５は強誘電性液晶パネルであり、基板２５Ａと基板２５Ｂとの間に液晶層２５Ｃが挟持された構造を有する。基板２５Ａおよび基板２５Ｂは例えばガラス（石英を含む）などの透明材料からなる。液晶層２５Ｃは、強誘電性液晶物質（例えばメルク社製のＺＬＩ３４８９）を有する。また、液晶層２５Ｃの膜厚調整用のスペーサとしては、例えば平均粒径１．７μｍ程度の球状シリカ製スペーサが用いられる。液晶パネル２５は、例えば以下のようにして製造する。具体的には、基板２５Ａおよび基板２５Ｂの各々の内面に形成された透明電極（例えばＩＴＯ）の表面を覆うようにポリイミドをスピンコートしたのち、約１８０℃で１時間程度加熱処理する。次に、そのポリイミド膜の表面を例えばナイロン製の布で（０．５ｍｍ程度の押込み量で）ラビングする。さらに、基板２５Ａと基板２５Ｂとをラビング方向が平行となるようにして貼り合わせることにより、液晶パネル２５が完成する。なお、液晶パネル２５に電圧が印加されている状態と印加されていない状態とで、液晶パネル２５の透過光の偏光面はほぼ９０°回転することとなる。また、液晶パネル２５の液晶層２５Ｃは、膜面に垂直な軸に対してチルト角±θだけ傾いた２つの状態のみをとる双安定液晶表示素子である。なお、双安定液晶表示素子としては、ＢＴＮモードの液晶表示素子を用いてもよい。
【００８９】［表示装置６の作用効果］  表示装置６においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００９０】  表示装置６では、透過偏光軸可変部材として双安定液晶表示素子である液晶パネル２５を用いるようにしたので、常時駆動する必要がなくなり消費電力の低減を図ることができる。また、液晶パネル２５の液晶層２５Ｃにおける強誘電性液晶物質としてカイラルスメクチック液晶を用いることができる。液晶パネル２５の応答速度は、ネマチック液晶を用いた液晶パネルよりも応答速度が速い（例えば画面状態と鏡面状態との切り替え時間は２５℃において１ｍ秒以内）ので好ましい。
【００９１】＜７．第７の実施の形態＞［表示装置７の構成］  図７は本開示の第７の実施の形態としての表示装置７の断面構成を表したものである。表示装置７は、液晶パネル２２の代わりに液晶パネル２６を有するようにしたことを除き、他は上記第１の実施の形態における表示装置１と同様の構成を有する。
【００９２】  液晶パネル２６は反強誘電性液晶パネルであり、基板２６Ａと基板２６Ｂとの間に液晶層２６Ｃが挟持された構造を有する。基板２６Ａおよび基板２６Ｂは例えばガラス（石英を含む）などの透明材料からなる。液晶層２６Ｃは、例えば化１に示した反強誘電性液晶分子を用いることができる。
【００９３】
【化１】
0006624193.tif 000002
【００９４】  また、液晶層２６Ｃの膜厚調整用のスペーサとしては、例えば平均粒径５．５μｍ程度の球状シリカ製スペーサが用いられる。液晶パネル２６は、例えば以下のようにして製造する。具体的には、基板２６Ａおよび基板２６Ｂの各々の内面に形成された透明電極（例えばＩＴＯ）の表面を覆うようにポリイミドをスピンコートしたのち、約１８０℃で１時間程度加熱処理する。次に、そのポリイミド膜の表面を例えばナイロン製の布で（０．７ｍｍ程度の押込み量で）ラビングする。さらに、基板２６Ａと基板２６Ｂとをラビング方向が平行となるようにして貼り合わせることにより、液晶パネル２６が完成する。なお、液晶パネル２６に電圧が印加されている状態と印加されていない状態とで、液晶パネル２６の透過光の偏光面はほぼ９０°回転することとなる。また、液晶パネル２６の液晶層２６Ｃにおける反強誘電性液晶分子のチルト角θは約４５°である。
【００９５】［表示装置７の作用効果］  表示装置７においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【００９６】  表示装置７における液晶パネル２６は、膜面に垂直な軸に対してチルト角±θだけ傾いた２つの状態とチルト角０度のみをとる３安定液晶表示素子である。表示装置７では、透過偏光軸可変部材として３安定液晶表示素子である液晶パネル２６を用いるようにしたので、常時駆動する必要がなくなり消費電力の低減を図ることができる。なお、表示装置７では、チルト角±θの時に、チルト角０度に比べて液晶パネル２６の透過光の偏光面をほぼ９０°回転するように設定してもよいし、チルト角±θの時に、チルト角０度に比べて液晶パネル２６の透過光の偏光面をほぼ４５°回転するように設定してもよい。チルト角±θの時に、チルト角０度に比べて液晶パネル２６の透過光の偏光面をほぼ４５°回転するように設定すると、チルト角＋θとチルト角−θでの差はほぼ９０°回転になる。即ち、チルト角＋θ（画面状態（画像表示モード））とチルト角−θ鏡面状態（外光反射モード）とチルト角０度（ハーフミラーモード）の３つの状態を常時駆動する必要なく達成できる。また、表示装置７では、液晶パネル２６が反強誘電性液晶パネルであり、その液晶層２６Ｃには、反強誘電性液晶物質のカイラルスメクチック液晶を用いることができる。反強誘電性液晶パネルの応答速度は、ネマチック液晶を用いた液晶パネルよりも応答速度が速い（例えば画面状態と鏡面状態との切り替え時間は２５℃において１ｍ秒以内）ので好ましい。また、反強誘電性液晶パネルは視野角が広く、強誘電性液晶パネルより均一な配向性が得やすく外部からの衝撃によって配向が乱れにくく高いコントラストが得やすいので好ましい。
【００９７】＜８．第８の実施の形態＞［表示装置８の構成］  図８は本開示の第８の実施の形態としての表示装置８の断面構成を表したものである。表示装置８は、液晶パネル２２の代わりに液晶パネル２７を有するようにしたことを除き、他は上記第１の実施の形態における表示装置１と同様の構成を有する。
【００９８】  液晶パネル２７はＶＡ液晶パネルであり、基板２７Ａと基板２７Ｂとの間に液晶層２７Ｃが挟持された構造を有する。基板２７Ａおよび基板２７Ｂは例えばガラス（石英を含む）などの透明材料からなる。液晶層２７Ｃは、負の誘電率異方性を有する液晶分子を用いることができる。
【００９９】  また、液晶層２７Ｃの膜厚調整用のスペーサとしては、例えば平均粒径３．５μｍ程度の球状シリカ製スペーサが用いられる。液晶パネル２７は、例えば以下のようにして製造する。具体的には、基板２７Ａおよび基板２７Ｂの各々の内面に形成された透明電極（例えばＩＴＯ）の表面を覆うように垂直配向性を有する光配向膜材料（感光性材料）の溶液をスピンキャスト法により塗布したのち、１８０℃で６０分間焼成して配向膜を形成した。こののち、必要に応じてラビング等の処理を施してもよい。光配向膜とは、光照射により配向規制力が変化する材料で形成された膜を意味する。なお、本実施例においては、配向膜材料として、感光性基を有する材料（感光性材料）４−カルコン基（化２）を有する材料を用いた。
【０１００】
【化２】
0006624193.tif 000003
【０１０１】  このような感光性基を有する材料を用い、波長、光量、照射角度、偏光方向等を制御して光照射による配向処理を行えば、液晶分子のプレチルト角や配向方向を高精度に制御して安定したプレチルト角や配向方向を有する配向膜を得ることができるので好ましい。プレチルト角とは、液晶層に電圧が加わっていない状態（オフ状態、電圧無印加時）において、配向膜表面と、配向膜近傍の液晶分子の長軸方向とがなす角度である。続いて、配向膜に対し偏光紫外線を照射することで、光照射による配向処理を実施し、配向膜近傍における液晶分子のプレチルト角をともに８７度から８９．７度の間に設定する。配向膜の構成分子は、高分子鎖の側鎖に光官能基（感光性基）を有するが、この配向処理により、光官能基が２量化反応により２量体を形成し、架橋構造（橋架け結合構造）が形成されることになる。また、配向膜の構成分子の一部は、配向処理により、異性化反応によりシス−トランス体の異性化を起こし、さらに、その他の一部は、再配向することになる。また、本実施の形態では化２に示した４−カルコン基のほか、光反応性の架橋性官能基（感光性を有する感光基であり、例えば、光２量化感光基）として、例えば、その他のカルコン、シンナメート、シンナモイル、クマリン、マレイミド、ベンゾフェノン、ノルボルネン、オリザノール、およびキトサンのうちのいずれか１種の構造を含む基より選ばれる少なくとも一つの感光性基を有する材料から形成された配向膜材料を用いてもよい。また、感光性官能基として、アゾ基を有するアゾベンゼン系化合物、イミンとアルジミンとを骨格に有する化合物、スチレン骨格を有する化合物を含む光配向膜を用いてもよい。
【０１０２】  配向膜を形成したのち、シール形成、スペーサ散布等を行ったのち、基板２７Ａおよび基板２７Ｂを貼り合わせ、液晶パネル２７を作製することができる。なお、液晶パネル２７に電圧が印加されている状態と印加されていない状態とで、液晶パネル２７の透過光の偏光面はほぼ９０°回転するようになっている。
【０１０３】［表示装置８の変形例１］  液晶パネル２７は、例えば以下のようにして製造してもよい。具体的には、基板２７Ａおよび基板２７Ｂの各々の内面に形成された透明電極（例えばＩＴＯ）の表面を覆うように、垂直配向性を有する配向膜材料の溶液をスピンキャスト法により塗布し、そののち焼成して配向膜を形成する。配向膜材料としては、垂直配向性のある配向膜であればよく、ポリイミドやポリアミック酸、ポリオルガノシロキサン等の有機材料により構成されたものを用いることができる。こののち、必要に応じてラビング等の処理を施してもよい。さらに、シール形成、スペーサ散布等を行った後、基板２７Ａおよび基板２７Ｂを貼り合わせる。さらに、液晶層２７Ｃとして、重合性を有するモノマー、オリゴマー等の重合性成分を混合した負の誘電率異方性を示す液晶組成物を基板２７Ａと基板２７Ｂと間に封入し、基板２７Ａと基板２７Ｂとの間に電圧を印加して液晶分子をチルト（傾斜）させた状態でモノマーを重合させ、ポリマーを形成した。これにより、電圧印加を取り除いた後であっても、所定のプレチルト角、配向方位でチルトする液晶分子が得られる。なお液晶分子のプレチルト角をともに８７度から８９．７度の間であるとよい。モノマーとしては、熱、光（紫外線）等で重合する材料が選択される。重合性モノマーは、例えば、以下の一般式（Ｉ）で表されるものを用いることができる。Ｐ１−Ｓ１−Ａ１−（Ｚ１−Ａ２）ｎ−Ｓ２−Ｐ２        （Ｉ）（式中、Ｐ１及びＰ２は、同一若しくは異なるアクリレート基、メタクリレート基、アクリルアミド基、メタクリルアミド基、ビニル基、ビニロキシ基又はエポキシ基を表す。Ａ１及びＡ２は、１，４−フェニレン基、ナフタレン−２，６−ジイル基、アントラセン−２，６−ジイル基又はフェナントレン−２，６−ジイル基を表す。Ｚ１は、ＣＯＯ、ＯＣＯ若しくはＯ、又は、Ａ１とＡ２若しくはＡ２とＡ２とが直接結合していることを表す。ｎは、０、１又は２である。Ｓ１及びＳ２は、同一若しくは異なる−（ＣＨ２）ｍ−（０≦ｍ≦６）、−（ＣＨ２−ＣＨ２−Ｏ）ｍ−（０≦ｍ≦６）、又は、Ｐ１とＡ１、Ａ１とＰ２若しくはＡ２とＰ２とが直接結合していることを表す。Ａ１及びＡ２が有する水素原子は、ハロゲン基又はメチル基に置換されていてもよい。）
【０１０４】  また、モノマーの重合反応を開始させるためのラジカル重合開始剤などの重合開始剤を混入させることもある。ラジカル重合開始剤の添加がないと重合反応の反応速度が上がらず、未反応モノマーが液晶層中に残存してしまう可能性が高くなる。そうすると、完成後の一般的な使用態様でのバックライト光、又は、組立工程後の検査用エージング工程の影響により、未反応のモノマーがゆっくりと重合反応を開始し、その結果、重合工程によって形成されたプレチルト角の大きさが変化して表示特性に影響を与える懸念がある。ラジカル重合開始剤としては、例えば下記の化３を用いることができる。
【０１０５】
【化３】
0006624193.tif 000004
【０１０６】［表示装置８の変形例２］  また、表示装置８における液晶パネル２７は、例えば以下のようにして製造してもよい。具体的には、基板２７Ａおよび基板２７Ｂの各々の内面に形成された透明電極（例えばＩＴＯ）の表面を覆うように垂直配向性を有し、側鎖として架橋性官能基や感光性官能基を有する高分子化合物を含む配向膜材料の溶液をスピンキャスト法により塗布した後に加熱処理する。その加熱処理の温度は８０゜Ｃ以上が好ましく、１５０゜Ｃ以上２３０゜Ｃ以下とすることがより好ましい。こののち、必要に応じてラビング等の処理を施してもよい。そして、シール形成、スペーサ散布等を行ったのち、基板２７Ａと基板２７Ｂとを貼り合わせ、それら基板２７Ａと基板２７Ｂとの間に液晶材料を注入してセルを封止する。次に、基板２７Ａと基板２７Ｂとの間に電圧を印加して液晶分子を所定の角度でチルト（傾斜）させ、その状態において配向膜に対し紫外線を照射することで配向膜の架橋性官能基を反応架橋させる配向膜を形成する。これにより、電圧印加、紫外線照射を取り除いたあとであっても、所定のプレチルト角、配向方位でチルトする液晶分子が得られる。なお液晶分子のプレチルト角をともに８７度から８９．７度の間にするとよい。紫外線は、波長３６５ｎｍ程度の光成分を多く含む紫外線が好ましい。短波長域の光成分を多く含む紫外線を用いると、液晶材料が光分解し、劣化するおそれがあるからである。光反応性の架橋性官能基（感光性を有する感光基であり、例えば、光２量化感光基）として、例えば、カルコン、シンナメート、シンナモイル、クマリン、マレイミド、ベンゾフェノン、ノルボルネン、オリザノール、及び、キトサンのうちのいずれか１種の構造を含む基が挙げられる。また、感光性官能基として、アゾ基を有するアゾベンゼン系化合物、イミンとアルジミンとを骨格に有する化合物、スチレン骨格を有する化合物を含む光配向膜を用いてもよい。
【０１０７】  また、液晶パネル２７の液晶分子２７Ｍは、図９Ａに示したように、基板２７Ｂから基板２７Ａに向けて上方向に向いている部分を含むように傾斜しているとよい。また、図９Ａにおいて、紙面に垂直な方向への傾きがあってもよい。本開示のように、画面状態と鏡面状態との切り替えを行う表示装置において、鏡面状態で使用する場合、液晶パネル２７を上側より下側から見る場合のほうが多いと考えられる。よって下側から鏡を見た場合の視野角特性が優れていることが好ましい。図９Ｂに示したように、電界非印加時において液晶分子２７Ｍが矢印２７１の方向にプレチルトし、基板２７Ｂから基板２７Ａに向けて上方向に向いている部分を有していると、電界印加時に液晶分子２７Ｍは矢印２７２の方向に、すなわち上方を向くように回転（位相差が発生する方向に倒れる）ので好ましい。
【０１０８】  一方、図９Ｃに示したように、電界非印加時において液晶分子２７Ｍが矢印２７１の方向にプレチルトし、基板２７Ｂから基板２７Ａに向けて下方向に向いている部分を有していると、電界印加時に液晶分子２７Ｍは矢印２７２の方向に、すなわち下方を向くように回転（位相差がキャンセルする方向に倒れる）。このため、視野角特性の点ではあまり好ましくない。なお、液晶層２７Ｃに含まれる液晶分子２７Ｍの全てが基板２７Ｂから基板２７Ａへ向けて上向きに配向しているのではなく、一部の液晶分子２７Ｍがそのように上向きに配向するようにしてもよい。
【０１０９】［表示装置８の作用効果］  表示装置８においても、上記第１の実施の形態と同様に表示切替部２０により画面状態（画像表示モード）と鏡面状態（外光反射モード）との切り替えを行うことができる。また、表示切替部２０の吸収型偏光板２３の色相ｂ*値を、表示部１０の吸収型偏光板１１，１４の色相ｂ*値以下としたので、観察者に視認される表示画像および反射像における色付き（特に黄色の色付き）を抑制することができる。
【０１１０】
表示装置８では、透過偏光軸可変部材としてＶＡ液晶モードの液晶パネル２７を用いた。ＶＡ液晶パネルは、高いコントラスト比が得やすく好ましい。また、表示切替部２０の吸収型偏光板２３にストレスが負荷された場合に、他の液晶モード（例えばＩＰＳモード）に比べて黒浮きしにくいので好ましい。また、液晶層２７Ｃの液晶分子には所定の方位でプレチルトを付与した。電界を印加して液晶分子をスイッチングする際に、プレチルトにより液晶の応答する方向が定まっているので、液晶がバラバラな方向に倒れることによる光漏れ（欠陥の発生）や、応答の遅れが抑制でき、その結果応答速度が向上して好ましい。
【０１１１】
＜９．適用例（電子機器）＞
次に、図１０を参照して、表示装置１を備えた電子機器１００について説明する。
【０１１２】
電子機器１００は、上記第１の実施形態の表示装置１を備えたものである。図１０は、電子機器１００の内部に配置される表示装置１の表示制御系を模式的に示すブロック図である。電子機器１００は、表示装置１のほか、表示駆動部１３Ｘと照明駆動部１５Ｘと切替駆動部２２Ｘとを備えている。電子機器１００は、さらに、これら表示駆動部１３Ｘ、照明駆動部１５Ｘおよび切替駆動部２２Ｘを制御する制御部１００Ｘを備える。上記の各構成要素は、全て表示装置１の内部に設置されていてもよいし、表示装置１の外部、すなわち電子機器１００の内部における表示装置１以外の領域に設置されていてもよいし、あるいは、一部の構成要素が表示装置１の内部に設置され、他の構成要素が表示装置１以外の電子機器１００の内部に設置されていてもよい。
【０１１３】  表示駆動部１３Ｘは、表示装置１の表示部１０に設けられた液晶パネル１３を駆動するものである。表示駆動部１３Ｘは、液晶パネル１３の液晶駆動領域内に構成された複数の画素領域をそれぞれ駆動するための駆動電圧を供給するものであり、例えば、マルチプレックス駆動方式やアクティブ駆動方式では、走査信号、およびこの走査信号に対応するデータ信号を、液晶パネル１３のコモン端子（走査線端子）およびセグメント端子（データ線端子）にそれぞれ同期させて供給する。画像データ等の表示データは電子機器１００のメイン回路から制御部１００Ｘを介してこの表示駆動部１３Ｘに送られる。
【０１１４】  照明駆動部１５Ｘは、表示部１０のバックライト１５を駆動するものである。より具体的には、照明駆動部１５Ｘは、バックライト１５への電力供給を制御し、例えば、バックライト１５の点灯状態と消灯状態とを切り換えるように機能する。
【０１１５】  切替駆動部２２Ｘは、表示切替部２０に設けられた液晶パネル２２を駆動するものである。切替駆動部２２Ｘは、液晶パネル２２に供給する印加電圧を制御するものであり、液晶パネル２２の対向する一対の透明電極間にしきい値電圧以上の電圧を印加するか否かを決定するものである。
【０１１６】  制御部１００Ｘは、表示駆動部１３Ｘ、照明駆動部１５Ｘおよび切替駆動部２２Ｘをそれぞれ制御し、それら各部に対する制御指令やデータ送出などを行う。例えば、表示切替部２０を画像表示モードにして表示装置１を画面状態にする場合には、表示駆動部１３Ｘにより液晶パネル１３を駆動して画像表示を行うと同時に、切替駆動部２２Ｘによって液晶パネル２２を制御することで表示切替部２０を透過状態とする。一方、表示切替部２０を外光反射モードにして表示装置１を鏡面状態にする場合には、切替駆動部２２Ｘによって液晶パネル２２を制御することで表示切替部２０を外光反射モードとすると同時に、表示駆動部１３Ｘにより液晶パネル１３を全遮断状態（シャッタ閉鎖状態）にするか、あるいは照明駆動部１５Ｘによりバックライト１５を消灯する。
【０１１７】  このように、本開示の電子機器１００によれば、上記の表示装置１を備えるようにしたので、観察者に視認される表示画像および反射像における色付き（特に黄色の色付き）を低減できる。このため、電子機器１００によれば、画面状態（画像表示モード）および鏡面状態（外光反射モード）のいずれにおいても優れた表示性能を発揮することができる。
【０１１８】  電子機器１００としては、例えばテレビジョン装置，デジタルカメラ，ノート型パーソナルコンピュータ、携帯電話、スマートフォン、タブレット端末装置等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【０１１９】＜１０．実験例＞［実験例１］（実験例１−１）  上記第１の実施の形態に係る表示装置１のサンプルを作製し、そのサンプルについて画面状態での色度を測定した。なお、色度測定にはコニカミノルタ社製のディスプレイカラーアナライザＣＡ−２１０を用いた。その結果を図１１に示す。図１１において横軸が色度ｘを示し、縦軸が色度ｙを示す。なお、図１１には、表示部１０のみの色度測定の結果も併せて示す。ただし、表示切替部２０の吸収型偏光板２３として色相ｂ*値が０．４３のポラテクノ社製ＳＫＷ−１８２４５Ｔを使用し、表示部１０の吸収型偏光板１１，１４として色相ｂ*値が３.５５のポラテクノ社製ＳＫＮ−１８２４３Ｔを使用した。
【０１２０】
（実験例１−２）
表示切替部２０の吸収型偏光板２３として色相ｂ*値が４.０の住友化学社製ＳＲＣＺ４ＱＪを使用し、表示部１０の吸収型偏光板１１，１４として色相ｂ*値が３.５５のポラテクノ社製ＳＫＮ−１８２４３Ｔを使用したことを除き、他は実験例１−１と同様にして表示装置１のサンプルを作製した。そのサンプルについても色度測定を行った。その結果を図１１に併せて示す。
【０１２１】
図１１に示したように、実施例１−１では色度ｙが０．２９３２なのに対して実施例１−２では０．３０４２であった。また、表示部１０のみでの色度ｙは０．２８８であった。すなわち、実施例１−１では、表示切替部２０を追加することによる色度ｙの増加を実験例１−２の場合よりも大幅に抑えることができた。したがって、表示切替部２０の吸収型偏光板２３の色相ｂ*値を、表示部１０の吸収型偏光板１１，１４の色相ｂ*値以下とすることにより、特に黄色の色付きを抑制することができることが確認できた。
【０１２２】［実験例２］（実験例２−１）  上記第１の実施の形態に係る表示装置１のサンプルを作製した。ここでは反射型偏光板２１として、偏光反射フィルムＤＢＥＦ（米国３Ｍ社製）を用いた。また、吸収型偏光板２３として色相ｂ*値が０．４３のポラテクノ社製ＳＫＷ−１８２４５Ｔを使用し、吸収型偏光板１１，１４として色相ｂ*値が３．２の住友化学社製ＳＲＣＺ４ＱＨを用いた。また、樹脂層３１〜３３として、厚さ１００μｍの日東電工社製の光学用透明粘着シートＬＵＣＩＡＳ  ＣＳ９８６４ＵＳを用いた。
【０１２３】（実験例２−２）  樹脂層３１〜３３として、厚さ２５μｍのＬｉｎｔｅｃ社製の高透明基材レステープＣＴＬ−ＮＣ１０５を用いたことを除き、他は実験例２−１と同様にして表示装置１のサンプルを作製した。
【０１２４】（実験例２−３）  樹脂層３１〜３３として、厚さ１５μｍのＬｉｎｔｅｃ社製の高透明基材レステープＣＴＬ−ＮＣ１０３を用いたことを除き、他は実験例２−１と同様にして表示装置１のサンプルを作製した。
【０１２５】（実験例２−４）  樹脂層３１〜３３として、厚さ５μｍのＬｉｎｔｅｃ社製の高透明基材レステープＣＴＬ−ＮＣ１００シリーズを用いたことを除き、他は実験例２−１と同様にして表示装置１のサンプルを作製した。
【０１２６】  これら実験例２−１〜２−４の各サンプルについて、オレンジピールＷｄ値（測定波長３〜１０ｍｍ）を測定した。なお、オレンジピールＷｄ値の測定には、ＢＹＫ−Ｇａｒｄｎｅｒ社製の携帯型オレンジピール測定機を用いた。その結果を図１２に示す。図１２において横軸が樹脂層３１〜３３の厚さ（μｍ）を示し、縦軸がオレンジピールＷｄ値を示す。
【０１２７】  図１２に示したように、オレンジピールＷｄ値は、樹脂層３１〜３３の厚さが１００μｍの場合（実験例２−１）は２１だったのに対して、樹脂層３１〜３３の厚さが２５μｍの場合（実験例２−２）は７．５であり、樹脂層３１〜３３の厚さが１５μｍの場合（実験例２−３）は７．８であり、樹脂層３１〜３３の厚さが５μｍの場合（実験例２−４）は３であった。すなわち、樹脂層３１〜３３の厚さを２５μｍ以下にすることで滲み・オレンジピールＷｄ値を大きく抑制することができることがわかった。特に、樹脂層３１〜３３の厚さが５μｍ以下とすると、より好ましいことが確認できた。
【０１２８】［実験例３］（実験例３−１）  次に、上記第１の実施の形態に係る表示装置１における液晶パネル２２のサンプルを、液晶層２２ＣとしてＴＮモードの液晶を用いて作製した。ここでは、リターデーション値Δｎ・ｄを０．３６μｍとした。
【０１２９】（実験例３−２）  リターデーション値Δｎ・ｄを０．４５μｍとしたことを除き、他は実験例３−１と同様の構成を有する液晶パネル２２のサンプルを作製した。
【０１３０】（実験例３−３）  リターデーション値Δｎ・ｄを０.５４μｍとしたことを除き、他は実験例３−１と同様の構成を有する液晶パネル２２のサンプルを作製した。
【０１３１】  これら実験例３−１〜３−３の各サンプルにおいて、透過率の波長依存性（波長は３８０ｎｍ〜５００ｎｍ）についてのシミュレーションを行った。その結果を図１３に示す。図１３において横軸が波長（μｍ）を示し、縦軸が透過率を示す。
【０１３２】
可視光領域における短波長側での透過率が低下すると黄色方向の色付きが生じると考えられる。図１３に示したように、液晶層２２ＣのΔｎ・ｄが０．３６μｍ（実験例３−１）および０．４５μｍの場合（実験例３−２）は、透過率は大きく変化しないが、Δｎ・ｄが０．５４μｍ（実験例３−３）になると４２０〜４８０μｍでの透過率がやや低下してしまう。よって０．３６μｍ以上０．５４μｍ未満の範囲内にΔｎ・ｄを設定すれば、３８０ｎｍ〜５００ｎｍの波長光における透過率の減少をより抑制できることがわかった。すなわち液晶層２２Ｃのリターデーション値Δｎ・ｄが０．３６μｍ以上０．５４μｍ未満であることにより、表示部１０によって形成される画面状態や鏡面状態の色付きを低減することに加え、表示画像や反射像をより明るくすることができることが確認できた。
【０１３３】［実験例４］（実験例４−１）  次に、上記第１の実施の形態に係る表示装置１における液晶パネル２２のサンプルを、液晶層２２ＣとしてＴＮモードの液晶を用いて作製した。ここでは、５５０ｎｍの波長光に対する液晶層２２Ｃの位相差Δｎを０．０９とした。
【０１３４】（実験例４−２）  ５５０ｎｍの波長光に対する液晶層２２Ｃの位相差Δｎを０．１０としたことを除き、他は実験例４−１と同様の構成を有する液晶パネル２２のサンプルを作製した。
【０１３５】（実験例４−３）  ５５０ｎｍの波長光に対する液晶層２２Ｃの  位相差Δｎを０．１２としたことを除き、他は実験例４−１と同様の構成を有する液晶パネル２２のサンプルを作製した。
【０１３６】（実験例４−４）  ５５０ｎｍの波長光に対する液晶層２２Ｃの位相差Δｎを０．１４としたことを除き、他は実験例４−１と同様の構成を有する液晶パネル２２のサンプルを作製した。
【０１３７】  これら実験例４−１〜４−４の各サンプルにおいて、透過率の波長依存性（波長は３８０ｎｍ〜５００ｎｍ）についてのシミュレーションを行った。その結果を図１４に示す。図１４において横軸が波長（μｍ）を示し、縦軸が透過率を示す。
【０１３８】
可視光領域における短波長側での透過率が低下すると黄色方向の色付きが生じると考えられる。図１４に示したように、５５０ｎｍの波長光に対する液晶層２２Ｃの位相差Δｎが０．０９〜０．１２の場合（実験例４−１〜４−３）透過率は大きく変化しないが、位相差Δｎが０．１４（実験例４−４）になると４２０〜５００μｍでの透過率がやや低下してしまう。よって、位相差Δｎを０．０９以上０．１４未満に設定すれば、４２０ｎｍ〜５００ｎｍの波長光における透過率の減少をより抑制できることがわかった。すなわち、５５０ｎｍの波長光に対する液晶層２２Ｃの位相差Δｎが０．０９以上０．１４未満であることにより、鏡面状態での色付きを低減することに加え、反射像をより明るくすることができることが確認できた。
【０１３９】  以上、実施の形態を挙げて本開示を説明したが、本開示は上記実施の形態に限定されるものではなく、種々の変形が可能である。例えば、上記実施の形態において説明した各層の材料および厚みなどは一例であってこれに限定されるものではなく、他の材料および厚みとしてもよい。例えば、液晶層２２ＣのΔｎ・ｄを０．５４μｍ以上１．７μｍ以下としてもよい。さらに、５５０ｎｍの波長光に対する液晶層２２Ｃの位相差Δｎを、０．０７以上〜０．０９未満もしくは０．１４以上０．１６以下の範囲内としてもよい。
【０１４０】  また、表示部１０と表示切替部２０との間に偏光変換部材を配置してもよい。その偏光変換部材としては例えば位相差板が用いられる。その位相差板は１／２波長板であってもよい。その場合、表示部１０から出射された偏光が偏光変換部材（例えば１／２波長板）を通過すると、第１の直線偏光と直交する振動面を有する第２の直線偏光に変換される。表示部１０の表示切替部２０に近い偏光部材（吸収型偏光板１１）の偏光吸収軸と、表示切替部２０の反射型偏光部材（反射型偏光板２１）の偏光吸収軸とが９０°異なっていた場合には、表示部１０と表示切替部２０との間に偏光変換部材を配置することにより、表示部１０の吸収型偏光板１１の偏光吸収軸と、表示切替部２０の反射型偏光板２１の偏光吸収軸とを一致させることができる。
【０１４１】  さらに、例えば、上記実施の形態において表示装置１〜７や電子機器１００の構成を具体的に挙げて説明したが、全ての構成要素を備える必要はなく、また、他の構成要素を備えていてもよい。
【０１４２】＜１１．第９の実施の形態＞[構成]  図１５は、本開示の第９の実施の形態に係る表示装置１０１の概略構成の一例を表したものである。表示装置１０１は、いわゆるミラーディスプレイと呼ばれるものであり、ミラー状態とディスプレイ状態とを交互に切り替える機能を備えている。表示装置１０１は、例えば、表示部１１０、表示切替部１２０および駆動回路１３０を備えている。表示部１１０は、本開示の「表示部」の一具体例に相当する。表示切替部１２０は、本開示の「光学装置」の一具体例に相当する。
【０１４３】
図１６は、表示部１１０および表示切替部１２０の断面構成の一例を表す図である。図１７（Ａ）、図１８（Ａ）は、表示切替部１２０に電圧が印加されているとき（電圧オン時）の、表示部１１０および表示切替部１２０の作用の一例を概念的に表したものである。図１７（Ｂ）、図１８（Ｂ）は、表示切替部１２０に電圧が印加されていないとき（電圧オフ時）の、表示部１１０および表示切替部１２０の作用の一例を概念的に表したものである。
【０１４４】
（表示部１１０）
表示部１１０は、映像光として直線偏光光を出射する出射面１１０Ａを有している。表示部１１０は、例えば、出射面１１０Ａに偏光板を有している。この偏光板は、偏光軸ＡＸ３を有しており、偏光軸ＡＸ３と直交する偏光成分の光を吸収する吸収型偏光板である。表示部１１０は、例えば、駆動回路１３０から入力される映像信号ＶｓｉｇおよびタイミングパルスＴＰに基づいて、偏光軸ＡＸ３と平行な偏光軸ａｘ２を有する映像光Ｌ１０２を出射面１１０Ａから出射するようになっている。表示部１１０は、例えば、上記の偏光板が出射面１１０Ａに設けられた液晶パネルを含んで構成されている。表示部１１０に用いられる液晶パネルの表示状態は、例えば、ＴＮ（Twisted Nematic）モード、ＶＡ(Vertical Alignment)モード、ＩＰＳ(In Plane Switching)モード、ＦＦＳ（Fringe  Field Switching）モード、ＳＴＮ（Super Twisted Nematic）モード、ＥＣＢ（Electrically Controlled Birefringence）モードとなっている。表示部１１０に用いられる液晶パネルは、バックライトを有する発光型パネルであってもよいし、バックライトの設けられていない反射型パネルであってもよい。表示部１１０は、上記の偏光板が出射面１１０Ａに設けられた有機ＥＬパネルであってもよい。
【０１４５】（表示切替部１２０）  表示切替部１２０は、例えば、出射面１１０Ａを介して表示部１１０に貼り合わされている。表示切替部１２０は、偏光制御層１２２と、偏光制御層１２２の一方の面側に配置された偏光層１２１と、偏光制御層１２２の他方の面側に配置された第１反射層１２３および第２反射層１２４とを有している。第１反射層１２３および第２反射層１２４は、偏光制御層１２２との位置関係で、表示部１１０側に配置されている。偏光制御層１２２は、本開示の「偏光制御層」の一具体例に相当する。偏光層１２１は、本開示の「偏光層」の一具体例に相当する。第１反射層１２３は、本開示の「第１反射層」の一具体例に相当する。第２反射層１２４は、本開示の「第２反射層」の一具体例に相当する。
【０１４６】  偏光制御層１２２は、例えば、駆動回路１３０から入力される切替電圧Ｖｓｗに基づいて、偏光制御層１２２に入射する光の偏光状態を電気的に切り替えるようになっている。切替電圧Ｖｓｗは一定の直流電圧であっても良いし、周期的に変化する電圧であってもよい。偏光制御層１２２は、例えば、切替電圧Ｖｓｗが印加されている場合には、表示切替部１２０がミラー状態となるよう偏光制御を行うようになっている。偏光制御層１２２は、例えば、切替電圧Ｖｓｗが印加されていない場合には、表示切替部１２０が表示状態となるよう偏光制御を行うようになっている。つまり、偏光制御層１２２は、駆動回路１３０から入力される切替電圧Ｖｓｗに基づいて、表示切替部１２０がミラー状態または表示状態となるよう偏光制御を行うようになっている。ここで、ミラー状態とは、偏光層１２１側から入射した光（偏光光Ｌ１０１'）を第１反射層１２３において反射することを指している。また、表示状態とは、表示部１１０側から入射した光（映像光Ｌ１０２）を表示切替部１２０において透過することを指している。
【０１４７】  偏光制御層１２２は、駆動回路１３０による制御に基づいて、偏光層１２１側または第１反射層１２３側から入射した光の偏光を制御するようになっている。偏光制御層１２２は、駆動回路１３０による制御に基づいて、偏光制御層１２２へ入射した光の偏光軸を９０度の奇数倍の角度だけ変化させるか、または、実質的に変化させないように、偏光制御層１２２へ入射した光の偏光を制御するようになっている。偏光制御層１２２は、駆動回路１３０による制御に基づいて、偏光層１２１側から入射した光の偏光軸（偏光光Ｌ１０１'の偏光軸ａｘ１）が第１反射層１２３の偏光軸ＡＸ２に対して平行または直交するように、偏光層１２１側から入射した光の偏光を制御するようになっている。偏光制御層１２２は、駆動回路１３０による制御に基づいて、第１反射層１２３側から入射した光の偏光軸（映像光Ｌ１０２の偏光軸ａｘ２）が偏光層１２１の偏光軸ＡＸ１に対して平行または直交するように、第１反射層１２３側から入射した光の偏光を制御するようになっている。
【０１４８】  偏光制御層１２２は、例えば、液晶層１２２Ａと、液晶層１２２Ａを挟み込む一対または複数対の光透過性電極１２２Ｂ，１２２Ｃとを含んで構成されている。液晶層１２２Ａの表示状態は、例えば、ＴＮ（Twisted Nematic）モード、ＥＣＢ（Electrically Controlled Birefringence）モード、ＳＴＮ（Super Twisted Nematic）モード、ＢＴＮ（Bistable Twisted Nematic）モード、強誘電性液晶モード、または、反強誘電性液晶モードとなっている。
【０１４９】  液晶層１２２Ａは、例えば、図１７（Ａ）、図１８（Ａ）に示したように、一対または複数対の光透過性電極１２２Ｂ，１２２Ｃに電圧が印加されたときには、液晶層１２２Ａに入射した光を、偏光軸を回転させずにそのまま透過するようになっている。液晶層１２２Ａは、例えば、図１７（Ｂ）、図１８（Ｂ）に示したように、一対または複数対の光透過性電極１２２Ｂ，１２２Ｃに電圧が印加されていないときには、液晶層１２２Ａに入射した光の偏光軸を、９０度の奇数倍の角度だけ変化させるようになっている。
【０１５０】
光透過性電極１２２Ｂ，１２２Ｃは、例えば、それぞれ、液晶層１２２Ａ全体に渡って電界を印加するためのシート状電極である。光透過性電極１２２Ｂ，１２２Ｃは、偏光光Ｌ１０１'および映像光Ｌ１０２を透過する材料で構成されており、例えば、ＩＴＯ（Indium Tin Oxide）によって構成されている。光透過性電極１２２Ｂ，１２２Ｃのエッジは、第１反射層１２３と対向する領域外に設けられていることが好ましい。
【０１５１】  偏光層１２１は、偏光軸ＡＸ１（透過軸）を有している。偏光層１２１は、偏光層１２１に入射する光において、偏光軸ＡＸ１と平行な偏光成分を透過し、偏光軸ＡＸ１と直交する偏光成分を吸収するようになっている。偏光層１２１の偏光軸ＡＸ１は、例えば、図１７（Ａ），図１７（Ｂ）に示したように、第１反射層１２３の偏光軸ＡＸ２と直交している。なお、偏光層１２１の偏光軸ＡＸ１は、例えば、図１８（Ａ）、図１８（Ｂ）に示したように、第１反射層１２３の偏光軸ＡＸ２と平行となっていてもよい。
【０１５２】  第１反射層１２３は、偏光制御層１２２と第２反射層１２４との間に配置されている。第１反射層１２３は、反射偏光層によって構成されている。第１反射層１２３に用いられる反射偏光層は、偏光層１２１の偏光軸ＡＸ１と平行または直交する偏光軸ＡＸ２（透過軸）を有している。第１反射層１２３に用いられる反射偏光層は、第１反射層１２３に入射する光において、偏光軸ＡＸ２と平行な偏光成分を透過し、偏光軸ＡＸ２と直交する偏光成分を反射するようになっている。偏光軸ＡＸ２は、映像光Ｌ１０２の偏光軸ａｘ２と平行となっている。従って、第１反射層１２３は、映像光Ｌ１０２、または映像光Ｌ１０２の偏光軸ａｘ２と平行な偏光軸を有する直線偏光光を透過し、映像光Ｌ１０２の偏光軸ａｘ２と直交する偏光軸を有する直線偏光光を反射するようになっている。
【０１５３】  第１反射層１２３は、例えば、国際公開ＷＯ９５／２７９１９号明細書に記載の多層反射性複屈折偏光フィルム、または、コレステリック液晶層を一対の１／４波長板で挟み込んだもので構成されている。上記の多層反射性複屈折偏光フィルムとしては、例えば、ＤＢＥＦ（スリーエムカンパニーの登録商標）が挙げられる。
【０１５４】
第２反射層１２４は、第１反射層１２３との位置関係で、表示部１１０側に配置されている。第２反射層１２４は、１または複数の開口１２４Ａを有している。１または複数の開口１２４Ａの形状は、特に限定されるものではないが、例えば、矩形状、任意の多角形状、円形状、楕円形状、または、それらを組み合わせた形状となっている。１または複数の開口１２４Ａは、例えば、空隙（大気）で満たされている。なお、１または複数の開口１２４Ａは、後述の接着層１２７または接着層１４０で満たされていてもよい。第２反射層１２４は、１または複数の開口１２４Ａを囲む位置に反射面１２４Ｂを有している。反射面１２４Ｂは、第２反射層１２４の偏光制御層１２２側の面および表示部１１０側の面のうち、少なくとも偏光制御層１２２側の面に形成されている。第２反射層１２４が、例えば、図１６〜図１８に示したように、１つの開口１２４Ａを有している場合に、反射面１２４Ｂは、１つの開口１２４Ａの周縁であって、かつ第１反射層１２３の外縁に沿って設けられた環状の反射面である。このとき、１つの開口１２４Ａは、偏光層１２１、偏光制御層１２２および第１反射層１２３よりも小さくなっている。つまり、反射面１２４Ｂは、少なくとも、第１反射層１２３と対向する位置に配置されている。１つの開口１２４Ａは、さらに、表示部１１０の出射面１１０Ａと同じ大きさとなっていてもよいし、表示部１１０の出射面１１０Ａよりも小さくなっていてもよい。
【０１５５】  図１９は、第２反射層１２４の平面構成の一例を表したものである。第２反射層１２４が、複数の開口１２４Ａを有している場合に、各開口１２４Ａの形状が、互いに異なっていてもよい。例えば、図１９に示したように、一方の開口１２４Ａが円形状となっており、他方の開口１２４Ａが矩形状となっていてもよい。
【０１５６】  第２反射層１２４は、例えば、金属反射層、多層膜反射層、または、反射偏光層によって構成されている。図２０は、第２反射層１２４として反射偏光層が用いられたときの、第２反射層１２４の平面構成の一例を表したものである。第２反射層１２４に用いられる反射偏光層は、第１反射層１２３の偏光軸ＡＸ２（透過軸）と直交する偏光軸ＡＸ３（透過軸）を有している。第２反射層１２４に用いられる反射偏光層は、第２反射層１２４に入射する光において、偏光軸ＡＸ３と平行な偏光成分を透過し、偏光軸ＡＸ３と直交する偏光成分を反射するようになっている。偏光軸ＡＸ３は、上述したように、第１反射層１２３の偏光軸ＡＸ２（透過軸）と直交している。従って、第２反射層１２４に用いられる反射偏光層は、第１反射層１２３を透過した光（直線偏光光）を反射するようになっている。
【０１５７】  第２反射層１２４に用いられる反射偏光層は、例えば、国際公開ＷＯ９５／２７９１９号明細書に記載の複屈折反射型偏光フィルム、または、コレステリック液晶層を一対の１／４波長板で挟み込んだもので構成されている。上記の複屈折反射型偏光フィルムとしては、例えば、ＤＢＥＦ（３Ｍ社の登録商標）が挙げられる。
【０１５８】  図２１は、第１反射層１２３および第２反射層１２４として用いるのに適した３つの反射偏光層に対して、所定の光強度の無偏光光を照射したときに、各反射偏光層を透過した光の輝度の波長依存性の一例を表したものである。図２１の縦軸の輝度は、照射光の輝度を１００％としたときの割合（％）で表されている。図２１には、同じ材料で形成された３つの反射偏光層を被計測対象物としたときの計測結果が示されている。
【０１５９】  第１反射層１２３および第２反射層１２４として用いられる反射偏光層は、例えば、互いに同じ材料で構成されている。このとき、第１反射層１２３および第２反射層１２４として、例えば、偏光光Ｌ１０１'および映像光Ｌ１０２の波長帯域（例えば、４５０ｎｍ，５５０ｎｍ，６５０ｎｍを含む波長帯域）において、図２１に示した輝度（％）の差が１０％以下となる反射偏光層が用いられることが好ましい。なお、第１反射層１２３および第２反射層１２４として用いられる反射偏光層は、互いに異なる材料で構成されていてもよい。このとき、第１反射層１２３および第２反射層１２４として、例えば、偏光光Ｌ１０１'および映像光Ｌ１０２の波長帯域（例えば、４５０ｎｍ，５５０ｎｍ，６５０ｎｍを含む波長帯域）において、図２１に示した輝度（％）の差が１０％を超える反射偏光層が用いられることが好ましい。
【０１６０】  表示切替部１２０は、例えば、図１６に示したように、各層が接着層で積層された積層体で構成されている。偏光層１２１および偏光制御層１２２は、例えば、接着層１２５によって互いに貼り合わされている。偏光制御層１２２および第１反射層１２３は、例えば、接着層１２６によって互いに貼り合わされている。第１反射層１２３および第２反射層１２４は、例えば、接着層１２７によって互いに貼り合わされている。さらに、表示部１１０および表示切替部１２０は、例えば、接着層１４０によって互いに貼り合わされている。接着層１２５、接着層１２６、接着層１２７および接着層１４０は、光透過性の接着剤で構成されており、ヘイズおよび色相の小さな接着剤で構成されていることが好ましい。なお、表示切替部１２０は、例えば、図１７、図１８に示したように、各層が空隙を介して対向配置されたものであってもよい。
【０１６１】（駆動回路１３０）  次に、駆動回路１３０について説明する。駆動回路１３０は、例えば、図１５に示したように、信号処理回路１３１、タイミング生成回路１３２、ドライバ１３３および表示切替制御回路１３４を有している。表示切替制御回路１３４は、本開示の「制御部」の一具体例に相当する。
【０１６２】  信号処理回路１３１、タイミング生成回路１３２およびドライバ１３３は、表示部１１０を制御するようになっている。信号処理回路１３１は、例えば、映像信号Ｄｉｎから、表示部１１０用の映像信号ＤＡを生成し、生成した映像信号ＤＡをドライバ１３３に出力するようになっている。タイミング生成回路１３２は、例えば、制御信号Ｔｉｎに含まれる水平同期信号および垂直同期信号に基づいて、表示部１１０の駆動用タイミングパルスであって、かつ、水平、垂直の書き込み転送を制御するためのタイミングパルスＴＰを生成するようになっている。タイミング生成回路１３２は、例えば、生成したタイミングパルスＴＰを所定のタイミングで表示部１１０に出力するようになっている。タイミング生成回路１３２は、例えば、表示切替制御回路１３４から切替信号Ｓｓが入力された場合には、生成したタイミングパルスＴＰを、切替信号Ｓｓに基づくタイミングで表示部１１０に出力するようになっている。タイミング生成回路１３２は、さらに、ドライバ１３３用のクロックＣＬＫを生成し、ドライバ１３３に出力するようになっている。
【０１６３】  ドライバ１３３は、例えば、サンプル・ホールド回路、Ｄ／Ａ変換回路、およびドライバ回路を有している。サンプル・ホールド回路は、シリアルデジタルの映像信号ＤＡに対して並列化処理を行い、複数並列の映像信号に展開するようになっている。サンプル・ホールド回路は、相展開した映像信号を、タイミング生成回路３２からのクロックＣＬＫに基づいたタイミングで、Ｄ／Ａ変換回路に出力するようになっている。Ｄ／Ａ変換回路は、サンプル・ホールド回路から入力された映像信号（相展開した映像信号）をアナログ信号化して、ドライバ回路に出力するようになっている。ドライバ回路は、タイミング生成回路１３２から出力されたクロックＣＬＫに基づく所定のタイミングで、アナログの映像信号Ｖｓｉｇを表示部１１０に出力するようになっている。
【０１６４】
表示切替制御回路１３４は、表示切替部１２０を制御するようになっている。表示切替制御回路１３４は、偏光層１２１側から偏光制御層１２２に入射した偏光光Ｌ１０１'の偏光軸ａｘ１が、第１反射層１２３の偏光軸ＡＸ２に対して平行または直交するように、偏光制御層１２２を制御するようになっている。表示切替制御回路１３４は、切替信号Ｓｉｎから、切替電圧Ｖｓｗを生成し、所定のタイミングで表示切替部１２０に出力するようになっている。切替電圧Ｖｓｗは、表示切替部１２０をミラー状態から表示状態に切り替えたり、表示状態からミラー状態に切り替えたりするための駆動電圧である。表示切替制御回路１３４は、例えば、さらに、表示切替部１２０がミラー状態から表示状態に切り替わるタイミングで表示部１１０からの映像光Ｌ１０２の出射が開始されるよう、切替電圧Ｖｓｗの出力タイミングに同期して、切替信号Ｓｓをタイミング生成回路１３２に出力するようになっている。表示切替制御回路１３４は、例えば、さらに、表示切替部１２０が表示状態からミラー状態に切り替わるタイミングで表示部１１０からの映像光Ｌ１０２の出射が停止されるよう、切替電圧Ｖｓｗの出力タイミングに同期して、切替信号Ｓｓをタイミング生成回路１３２に出力するようになっている。
【０１６５】 [動作]  次に、表示装置１０１の動作の一例について説明する。
【０１６６】（表示状態）  ミラー状態から表示状態に切り替えるための切替信号Ｓｉｎが表示切替制御回路１３４に入力される。すると、表示切替制御回路１３４は、切替信号Ｓｉｎから切替電圧Ｖｓｗを生成し、所定のタイミングで表示切替部１２０に出力する。表示切替制御回路１３４は、さらに、切替信号Ｓｉｎから切替信号Ｓｓを生成し、生成した切替信号Ｓｓを切替電圧Ｖｓｗの出力タイミングに同期してタイミング生成回路１３２に出力する。タイミング生成回路１３２は、切替信号Ｓｓに基づいて、タイミングパルスＴＰを所定のタイミングで表示部１１０に出力するとともに、クロックＣＬＫを所定のタイミングでドライバ１３３に出力する。ドライバ１３３は、信号処理回路１３１から入力された映像信号ＤＡから映像信号Ｖｓｉｇを生成し、生成した映像信号Ｖｓｉｇを表示部１１０に出力する。
【０１６７】  切替電圧Ｖｓｗが表示切替部１２０に入力されると、表示切替部１２０はミラー状態から表示状態に切り替わる。このとき、無偏光の外光Ｌ１０１が偏光層１２１に入射すると、例えば、図１７（Ｂ）、図１８（Ａ）に示したように、外光Ｌ１０１のうち、偏光軸ＡＸ１と平行な偏光成分が偏光層１２１を透過し、透過した後の光（偏光光Ｌ１０１'）が偏光制御層１２２、第１反射層１２３を透過する。第１反射層１２３を透過した後の光（偏光光Ｌ１０１'）のうち、第２反射層１２４の反射面１２４Ｂに入射した光は、反射面１２４Ｂで反射され、第１反射層１２３、偏光制御層１２２および偏光層１２１を介して外部に出射される。第１反射層１２３を透過した後の光（偏光光Ｌ１０１'）のうち、第２反射層１２４の１または複数の開口１２４Ａに入射した光は、１または複数の開口１２４Ａを介して表示部１１０の出射面１１０Ａに入射する。表示部１１０が発光型パネルを備えている場合には、出射面１１０Ａへの入射光とは無関係に、出射面１１０Ａから、偏光軸ａｘ２を有する映像光Ｌ１０２が出射される。表示部１１０が反射型パネルを備えている場合には、出射面１１０Ａへ入射した光（偏光光Ｌ１０１'）が表示部１１０の反射型パネルで反射されるとともに変調され、その結果、映像光Ｌ１０２が出射面１１０Ａから出射される。出射面１１０Ａから出射された映像光Ｌ１０２は、１または複数の開口１２４Ａ、第１反射層１２３、偏光制御層１２２および偏光層１２１を介して外部に出射される。このとき、ユーザは、表示切替部１２０を眺めたときに、例えば、鏡の中に画像が浮かび上がっているように感じる。
【０１６８】（ミラー状態）  表示状態からミラー状態に切り替えるための切替信号Ｓｉｎが表示切替制御回路１３４に入力される。すると、表示切替制御回路１３４は、切替信号Ｓｉｎから切替電圧Ｖｓｗを生成し、所定のタイミングで表示切替部１２０に出力する。表示切替制御回路１３４は、さらに、信号処理回路１３１、タイミング生成回路１３２およびドライバ１３３での演算を停止する信号を、切替電圧Ｖｓｗの出力タイミングに同期して信号処理回路１３１、タイミング生成回路１３２およびドライバ１３３に出力する。すると、信号処理回路１３１、タイミング生成回路１３２およびドライバ１３３は、演算を停止する。
【０１６９】  表示切替部１２０は、切替電圧Ｖｓｗが入力された結果、表示状態からミラー状態に切り替わる。このとき、無偏光の外光Ｌ１０１が偏光層１２１に入射すると、例えば、図１７（Ａ）、図１８（Ｂ）に示したように、外光Ｌ１０１のうち、偏光軸ＡＸ１と平行な偏光成分が偏光層１２１を透過し、透過した後の光（偏光光Ｌ１０１'）が偏光制御層１２２を透過した後、第１反射層１２３で反射され、偏光制御層１２２および偏光層１２１を介して外部に出射される。なお、出射面１１０Ａから映像光Ｌ１０２が出射されていた場合であっても、映像光Ｌ１０２は、偏光層１２１で吸収される。このとき、ユーザは、表示切替部１２０を眺めたときに、例えば、鏡を眺めているように感じる。
【０１７０】[効果]  次に、表示装置１０１の効果について説明する。
【０１７１】  映像光の切り替えを行う際に、特定の領域だけを切り替えたり、特異な形状で表示を行ったりしたい場合には、例えば、切り替え用の液晶パネルの電極を、用途や目的に応じた形状にすることが必要となる。しかし、そのようにした場合には、切り替え用の液晶パネルの電極を形成する際に、用途や目的ごとにマスクを取り換えてフォトリソグラフィを行う必要があるので、製造コストが大幅に増大してしまう。
【０１７２】  一方、表示装置１０１では、偏光制御層１２２による偏光制御によって、ミラー状態と表示状態とが切り替えられる。ミラー状態では、偏光層１２１側から偏光制御層１２２に入射した偏光光Ｌ１０１'の偏光軸ａｘ１が、第１反射層１２３の偏光軸ＡＸ２に対して直交するように、偏光制御層１２２が制御される。従って、ミラー状態では、偏光層１２１に入射した光は、第１反射層１２３で反射され、戻ってくるので、表示切替部１２０の表面が、ユーザにとって、鏡のように機能する。表示状態では、例えば、１または複数の開口１２４Ａを介して、第１反射層１２３側から偏光制御層１２２に入射した偏光光の偏光軸（例えば映像光Ｌ１０２の偏光軸ａｘ２）が、偏光層１２１の偏光軸ＡＸ１に対して平行となるように、偏光制御層１２２が制御される。従って、表示状態では、１または複数の開口１２４Ａを介して、第１反射層１２３側から偏光制御層１２２に入射した偏光光（例えば映像光Ｌ１０２）は、偏光層１２１を透過してユーザに到達するので、表示切替部１２０の表面の全体または一部が、ユーザにとって、ディスプレイのように機能する。
【０１７３】
また、表示装置１０１では、１または複数の開口１２４Ａの大きさや形状は、第２反射層１２４を製造する過程で、例えば、シート状の部材に対して加工を施したり、溶融状態の材料を成型したりすることにより、形成可能である。従って、表示装置１０１において、特定の領域の表示状態だけを切り替えたり、所望の形状での表示を行ったりしたい場合に、偏光制御層１２２の制御に用いられる電極（光透過性電極１２２Ｂ，１２２Ｃ）を形成する際に、用途や目的ごとにマスクを取り換えてフォトリソグラフィを行う必要がない。なお、偏光制御層１２２に対して、複数対の光透過性電極１２２Ｂ，１２２Ｃが設けられる場合であっても、複数対の光透過性電極１２２Ｂ，１２２Ｃの大きさや形状について、表示装置１０１の用途や目的に依って変える必要はない。なぜなら、表示装置１０１の用途や目的に依って第２反射層１２４の１または複数の開口１２４Ａの大きさや形状を変えればよいからである。
【０１７４】  このように、表示装置１０１では、偏光制御層１２２による偏光制御によって、表示切替部１２０が、鏡またはディスプレイのように機能するようにし、さらに、偏光制御層１２２に対して偏光制御用に複数の電極を設けなくてもよいようにしたので、製造コストの大幅な増大を抑えることができる。
【０１７５】  また、表示装置１０１において、第１反射層１２３および第２反射層１２４として、偏光光Ｌ１０１'および映像光Ｌ１０２の波長帯域において、図２１に示した輝度（％）の差が１０％以下となる反射偏光層が用いられている場合には、ミラー状態と表示状態とが切り換えられたときに、第１反射層１２３で反射された光と、第２反射層１２４で反射された光の輝度や色相を概ね同じにすることができる。これにより、ミラー状態と表示状態が切り換えられたときに、映像光Ｌ１０２によって生成される映像の周囲の輝度や色相の変化をユーザに気づかれ難くすることができる。その結果、表示切替部１２０がミラー状態から表示状態に切り換えられたときに、鏡の中から映像が浮かび上がって来たような体験をユーザに提供することができる。また、表示切替部１２０が表示状態からミラー状態に切り換えられたときに、鏡の中に浮かび上がっていた映像が鏡の中に消えていったような体験をユーザに提供することができる。
【０１７６】  また、表示装置１０１において、第１反射層１２３および第２反射層１２４として、偏光光Ｌ１０１'および映像光Ｌ１０２の波長帯域において、図２１に示した輝度（％）の差が１０％を超える反射偏光層が用いられている場合には、ミラー状態と表示状態とが切り換えられたときに、第１反射層１２３で反射された光の輝度や色相と、第２反射層１２４で反射された光の輝度や色相を、ユーザが識別できる程度にまで異ならせることができる。これにより、表示切替部２０がミラー状態から表示状態に切り換えられたときに、映像光Ｌ２によって生成される映像の周囲を、ミラー状態のときの輝度や色相とは異なる輝度や色相にすることができる。その結果、ミラー状態から表示状態に切り替えたときや、表示状態からミラー状態に切り替えたときに、見た目に変化を与える演出を行うことができる。例えば、映像光Ｌ１０２によって生成される映像の周囲の輝度を下げたり、映像光Ｌ１０２によって生成される映像の周囲の色温度を変化させたりすることで、映像光Ｌ１０２によって生成される映像を引き立てる演出を行うことができる。
【０１７７】  また、表示装置１０１において、光透過性電極１２２Ｂ，１２２Ｃエッジが、第１反射層１２３と対向する領域外に設けられている場合には、光透過性電極１２２Ｂ，１２２Ｃのエッジにおける液晶の配向状態の乱れが、表示不具合としてユーザに視認されるのを避けることができる。また、表示装置１０１では、第１反射層１２３が第２反射層１２４よりも偏光制御層１２２寄りに配置されているので、表示切替部１２０がミラー状態となっているときの反射面は、第１反射層１２３の表面だけで構成される。そのため、１または複数の開口１２４Ａに起因する表示不具合が生じるのを避けることができる。
【０１７８】＜１２．変形例＞  以下に、上記実施の形態の表示装置１０１の変形例について説明する。なお、以下では、上記実施の形態と共通の構成要素に対しては、上記実施の形態で付されていた符号と同一の符号が付される。また、上記実施の形態と異なる構成要素の説明を主に行い、上記実施の形態と共通の構成要素の説明については、適宜、省略するものとする。
【０１７９】［変形例Ａ］  図２２は、表示部１１０および表示切替部１２０の断面構成の一変形例を表す図である。図２３（Ａ）、図２４（Ａ）は、表示切替部１２０に電圧が印加されているときの、表示部１１０および表示切替部１２０の作用の一例を概念的に表したものである。図２３（Ｂ）、図２４（Ｂ）は、表示切替部１２０に電圧が印加されていないときの、表示部１１０および表示切替部１２０の作用の一例を概念的に表したものである。
【０１８０】  上記実施の形態では、第１反射層１２３が偏光制御層１２２と第２反射層１２４との間に配置されていたが、第２反射層１２４が偏光制御層１２２と第１反射層１２３との間に配置されていてもよい。本変形例では、第２反射層１２４は、反射偏光層によって構成されている。第２反射層１２４に用いられる反射偏光層は、第１反射層１２３の偏光軸ＡＸ２（透過軸）と直交する偏光軸ＡＸ４（透過軸）を有している。第２反射層１２４に用いられる反射偏光層のうち、反射面１２４Ｂに対応する部分は、第２反射層１２４に入射する光において、偏光軸ＡＸ４と平行な偏光成分を透過し、偏光軸ＡＸ４と直交する偏光成分を反射するようになっている。偏光軸ＡＸ４は、上述したように、第１反射層１２３の偏光軸ＡＸ２（透過軸）と直交している。従って、第２反射層１２４に用いられる反射偏光層のうち、反射面１２４Ｂに対応する部分は、第１反射層１２３で反射されてきた光（直線偏光光）を透過するようになっている。
【０１８１】  第１反射層１２３および第２反射層１２４として用いられる反射偏光層は、例えば、互いに同じ材料で構成されている。このとき、第１反射層１２３および第２反射層１２４として、例えば、偏光光Ｌ１０１'および映像光Ｌ１０２の波長帯域（例えば、４５０ｎｍ，５５０ｎｍ，６５０ｎｍを含む波長帯域）において、図２１に示した輝度（％）の差が１０％以下となる反射偏光層が用いられることが好ましい。なお、第１反射層１２３および第２反射層１２４として用いられる反射偏光層は、互いに異なる材料で構成されていてもよい。このとき、第１反射層１２３および第２反射層１２４として、例えば、偏光光Ｌ１０１'および映像光Ｌ１０２の波長帯域（例えば、４５０ｎｍ，５５０ｎｍ，６５０ｎｍを含む波長帯域）において、図２１に示した輝度（％）の差が１０％を超える反射偏光層が用いられることが好ましい。
【０１８２】（表示状態）  本変形例の表示装置１０１において、切替電圧Ｖｓｗが表示切替部１２０に入力されると、表示切替部１２０はミラー状態から表示状態に切り替わる。このとき、無偏光の外光Ｌ１０１が偏光層１２１に入射すると、例えば、図２３（Ｂ）、図２４（Ａ）に示したように、外光Ｌ１０１のうち、偏光軸ＡＸ１と平行な偏光成分が偏光層１２１を透過し、透過した後の光（偏光光Ｌ１０１'）が偏光制御層１２２を透過する。偏光制御層１２２を透過した後の光（偏光光Ｌ１０１'）のうち、第２反射層１２４の反射面１２４Ｂに入射した光は、反射面１２４Ｂで反射され、偏光制御層１２２および偏光層１２１を介して外部に出射される。偏光制御層１２２を透過した後の光（偏光光Ｌ１０１'）のうち、第２反射層１２４の１または複数の開口１２４Ａに入射した光は、１または複数の開口１２４Ａを介して、第１反射層１２３を透過したのち、表示部１１０の出射面１１０Ａに入射する。表示部１１０が発光型パネルを備えている場合には、出射面１１０Ａへの入射光とは無関係に、出射面１１０Ａから、偏光軸ａｘ２を有する映像光Ｌ１０２が出射される。表示部１１０が反射型パネルを備えている場合には、出射面１１０Ａへ入射した光（偏光光Ｌ１０１'）が表示部１１０の反射型パネルで反射されるとともに変調され、その結果、映像光Ｌ１０２が出射面１１０Ａから出射される。出射面１１０Ａから出射された映像光Ｌ１０２は、第１反射層１２３、１または複数の開口１２４Ａ、偏光制御層１２２および偏光層１２１を介して外部に出射される。このとき、ユーザは、表示切替部１２０を眺めたときに、例えば、鏡の中に画像が浮かび上がっているように感じる。
【０１８３】（ミラー状態）  本変形例の表示装置１０１において、表示切替部１２０は、切替電圧Ｖｓｗが入力された結果、表示状態からミラー状態に切り替わる。このとき、無偏光の外光Ｌ１０１が偏光層１２１に入射すると、例えば、図２３（Ａ）、図２４（Ｂ）に示したように、外光Ｌ１０１のうち、偏光軸ＡＸ１と平行な偏光成分が偏光層１２１を透過し、透過した後の光（偏光光Ｌ１０１'）が偏光制御層１２２、第２反射層１２４を透過した後、第１反射層１２３で反射され、第２反射層１２４、偏光制御層１２２および偏光層１２１を介して外部に出射される。なお、出射面１１０Ａから映像光Ｌ１０２が出射されていた場合であっても、映像光Ｌ１０２は、偏光層１２１で吸収される。このとき、ユーザは、表示切替部１２０を眺めたときに、例えば、鏡を眺めているように感じる。
【０１８４】  次に、本変形例の表示装置１０１の効果について説明する。本変形例では、１または複数の開口１２４Ａの大きさや形状は、第２反射層１２４を製造する過程で、例えば、シート状の部材に対して加工を施したり、溶融状態の材料を成型したりすることにより、形成可能である。従って、本変形例において、特定の領域の表示状態だけを切り替えたり、所望の形状での表示を行ったりしたい場合に、偏光制御層１２２の制御に用いられる電極（光透過性電極１２２Ｂ，１２２Ｃ）を形成する際に、用途や目的ごとにマスクを取り換えてフォトリソグラフィを行う必要がない。なお、偏光制御層１２２に対して、複数対の光透過性電極１２２Ｂ，１２２Ｃが設けられる場合であっても、複数対の光透過性電極１２２Ｂ，１２２Ｃの大きさや形状について、表示装置１０１の用途や目的に依って変える必要はない。なぜなら、表示装置１０１の用途や目的に依って第２反射層１２４の１または複数の開口１２４Ａの大きさや形状を変えればよいからである。このように、本変形例では、偏光制御層１２２による偏光制御によって、表示切替部１２０が、鏡またはディスプレイのように機能するようにし、さらに、偏光制御層１２２に対して偏光制御用に複数の電極を設けなくてもよいようにしたので、製造コストの大幅な増大を抑えることができる。
【０１８５】  また、本変形例において、第１反射層１２３および第２反射層１２４として、偏光光Ｌ１０１'および映像光Ｌ１０２の波長帯域において、図２１に示した輝度（％）の差が１０％以下となる反射偏光層が用いられている場合には、ミラー状態と表示状態とが切り換えられたときに、第２反射層１２４のうち開口１２４Ａ以外の部分を透過したのち第１反射層１２３で反射された光と、第２反射層１２４のうち開口１２４Ａの部分を透過したのち第１反射層１２３で反射された光の輝度や色相を概ね同じにすることができる。これにより、表示切替部１２０が表示状態からミラー状態に切り換えられたときに、映像光Ｌ１０２によって映像が生成されていた箇所の輝度や色相と、映像光Ｌ１０２によって映像が生成されていた箇所の周囲の輝度や色相との相違をユーザに気づかれ難くすることができる。
【０１８６】［変形例Ｂ］  図２５は、表示部１１０および表示切替部１２０の断面構成の一変形例を表す図である。図２６（Ａ）、図２７（Ａ）は、表示切替部１２０に電圧が印加されているときの、表示部１１０および表示切替部１２０の作用の一例を概念的に表したものである。図２６（Ｂ）、図２７（Ｂ）は、表示切替部１２０に電圧が印加されていないときの、表示部１１０および表示切替部１２０の作用の一例を概念的に表したものである。
【０１８７】  上記実施の形態では、２つの反射層（第１反射層１２３、第２反射層１２４）が表示切替部１２０に設けられていたが、一方の反射層（第２反射層１２４）が省略され、表示部１１０の出射面１１０Ａを囲む環状のベゼル１１１が、第２反射層１２４の機能を兼ねていてもよい。つまり、本変形例では、第２反射層１２４が省略され、さらに、表示部１１０が、表示切替部１２０の外縁に沿って設けられた環状のベゼル１１１を有している。ベゼル１１１が、本開示の「ベゼル」の一具体例に相当する。
【０１８８】
ベゼル１１１は、１つの開口１１１Ａを有している。開口１１１Ａの形状は、特に限定されるものではないが、例えば、矩形状、任意の多角形状、円形状、楕円形状、または、それらを組み合わせた形状となっている。ベゼル１１１は、１つの開口１１１Ａを囲む位置に環状のミラー面１１１Ｂを有している。ミラー面１１１Ｂは、ベゼル１１１の表示切替部１２０側の面に形成されている。ミラー面１１１Ｂは、１つの開口１１１Ａの周縁であって、かつ表示切替部１２０の外縁に沿って設けられている。このとき、１つの開口１１１Ａは、偏光層１２１、偏光制御層１２２および第１反射層１２３よりも小さくなっている。つまり、ミラー面１１１Ｂは、少なくとも、第１反射層１２３と対向する位置に配置されている。ベゼル１１１のうち、少なくともミラー面１１１Ｂの部分は、例えば、金属反射層、または、多層膜反射層によって構成されている。
【０１８９】  次に、表示装置１０１の動作の一例について説明する。
【０１９０】（表示状態）  本変形例の表示装置１０１において、切替電圧Ｖｓｗが表示切替部１２０に入力されると、表示切替部１２０はミラー状態から表示状態に切り替わる。このとき、無偏光の外光Ｌ１０１が偏光層１２１に入射すると、例えば、図２６（Ｂ）、図２７（Ａ）に示したように、外光Ｌ１０１のうち、偏光軸ＡＸ１と平行な偏光成分が偏光層１２１を透過し、透過した後の光（偏光光Ｌ１０１'）が偏光制御層１２２、第１反射層１２３を透過する。第１反射層１２３を透過した後の光（偏光光Ｌ１０１'）のうち、ベゼル１１１のミラー面１１１Ｂに入射した光は、ミラー面１１１Ｂで反射され、第１反射層１２３、偏光制御層１２２および偏光層１２１を介して外部に出射される。第１反射層１２３を透過した後の光（偏光光Ｌ１０１'）のうち、ベゼル１１１の開口１１１Ａに入射した光は、開口１１１Ａを介して表示部１１０の出射面１１０Ａに入射する。表示部１１０が発光型パネルを備えている場合には、出射面１１０Ａへの入射光とは無関係に、出射面１１０Ａから、偏光軸ａｘ２を有する映像光Ｌ１０２が出射される。表示部１１０が反射型パネルを備えている場合には、出射面１１０Ａへ入射した光（偏光光Ｌ１０１'）が表示部１１０の反射型パネルで反射されるとともに変調され、その結果、映像光Ｌ１０２が出射面１１０Ａから出射される。出射面１１０Ａから出射された映像光Ｌ１０２は、開口１１１Ａ、第１反射層１２３、偏光制御層１２２および偏光層１２１を介して外部に出射される。このとき、ユーザは、表示切替部１２０を眺めたときに、例えば、鏡の中に画像が浮かび上がっているように感じる。
【０１９１】（ミラー状態）  本変形例の表示装置１０１において、表示切替部１２０は、切替電圧Ｖｓｗが入力された結果、表示状態からミラー状態に切り替わる。このとき、無偏光の外光Ｌ１０１が偏光層１２１に入射すると、例えば、図２６（Ａ）、図２７（Ｂ）に示したように、外光Ｌ１０１のうち、偏光軸ＡＸ１と平行な偏光成分が偏光層１２１を透過し、透過した後の光（偏光光Ｌ１０１'）が偏光制御層１２２を透過した後、第１反射層１２３で反射され、偏光制御層１２２および偏光層１２１を介して外部に出射される。なお、出射面１１０Ａから映像光Ｌ１０２が出射されていた場合であっても、映像光Ｌ１０２は、偏光層１２１で吸収される。このとき、ユーザは、表示切替部１２０を眺めたときに、例えば、鏡を眺めているように感じる。
【０１９２】  次に、本変形例の表示装置１０１の効果について説明する。本変形例では、ベゼル１１１が第２反射層１２４の機能を兼ねている。そのため、表示切替部１２０に対して、２つ目の反射層を設ける必要がない。従って、本変形例において、特定の領域の表示状態だけを切り替えたり、所望の形状での表示を行ったりしたい場合に、偏光制御層１２２の制御に用いられる電極（光透過性電極１２２Ｂ，１２２Ｃ）を形成する際に、用途や目的ごとにマスクを取り換えてフォトリソグラフィを行う必要がない。なお、偏光制御層１２２に対して、複数対の光透過性電極１２２Ｂ，１２２Ｃが設けられる場合であっても、複数対の光透過性電極１２２Ｂ，１２２Ｃの大きさや形状について、表示装置１０１の用途や目的に依って変える必要はない。なぜなら、表示装置１０１の用途や目的に依って第２反射層１２４の１または複数の開口１２４Ａの大きさや形状を変えればよいからである。このように、本変形例では、偏光制御層１２２による偏光制御によって、表示切替部１２０が、鏡またはディスプレイのように機能するようにし、さらに、偏光制御層１２２に対して偏光制御用に複数の電極を設けなくてもよいようにしたので、製造コストの大幅な増大を抑えることができる。
【０１９３】
［変形例Ｃ］
図２８Ａ、図２８Ｂは、図１６、図２２、図２５の表示切替部１２０に追加されるミラー層１２８の配置の一例を表したものである。上記実施の形態、変形例Ａおよび変形例Ｂにおいて、表示切替部１２０は、ミラー層１２８を更に有していてもよい。ミラー層１２８は、偏光層１２１との関係で偏光制御層１２２とは反対側の位置に、偏光層１２１の外縁または周縁に沿って設けられている。ミラー層１２８は、１つの開口１２８Ａを有している。開口１２８Ａの形状は、特に限定されるものではないが、例えば、矩形状、任意の多角形状、円形状、楕円形状、または、それらを組み合わせた形状となっている。
【０１９４】  ミラー層１２８は、開口１２８Ａを囲む位置にミラー面１２８Ｂを有している。ミラー面１２８Ｂは、偏光層１２１とは反対側の面（つまり、表示切替部１２０の最表面）に形成されている。ミラー面１２８Ｂは、例えば、金属または有機材料の表面に金属などを蒸着することにより形成された面である。ミラー面１２８Ｂは、例えば、アルミニウム、鉄、またはそれらの合金などからなる金属部材の表面であってもよい。ミラー面１２８Ｂは、鏡面反射するようになっていてもよい。
【０１９５】
ミラー面１２８Ｂは、開口１２８Ａの周縁であって、かつ偏光層１２１の外縁または周縁に沿って設けられた環状のミラー面である。ミラー層１２８が、偏光層１２１の外縁に沿って設けられている場合、開口１２８Ａは、偏光層１２１よりも小さくなっている。このとき、ミラー面１２８Ｂは、少なくとも、偏光層１２１の外縁と対向する位置に配置されている。ミラー層１２８が、偏光層１２１の周縁に沿って設けられている場合、開口１２８Ａは、偏光層１２１と同等の大きさとなっている。このとき、ミラー面１２８Ｂは、偏光層１２１と非対向の位置に配置されている。
【０１９６】  ミラー層１２８が、偏光層１２１の外縁に沿って設けられている場合、ミラー層１２８は、例えば、図２８Ａに示したように、偏光層１２１に貼り合わされていてもよいし、図２８Ｂに示したように、偏光層１２１に貼り合わされず、偏光層１２１から離間して配置されていてもよい。ミラー層１２８が、偏光層１２１の周縁に沿って設けられている場合、ミラー層１２８は、例えば、図２８Ｂに示したように、偏光層１２１から離間して配置されているか、または、偏光層１２１が開口１２８Ａ内に配置される位置に配置されている。
【０１９７】  第２反射層１２４において開口１２４Ａが１つしか設けられていない場合に、ミラー面１２８Ｂは、開口１２４Ａと非対向の位置に配置されており、さらに、反射面１２４Ｂのうち、少なくとも反射面１２４Ｂの内縁とは対向しない位置に配置されている。ベゼル１１１において開口１１１Ａが１つしか設けられていない場合に、ミラー面１２８Ｂは、開口１１１Ａと非対向の位置に配置されており、さらに、反射面１１１Ｂのうち、少なくとも反射面１１１Ｂの内縁とは対向しない位置に配置されている。ミラー層１２８は、表示切替部１２０が表示状態となっているときに映像に干渉しない位置に配置されている。つまり、ミラー層１２８は、表示切替部１２０において、表示部１１０におけるベゼル１１１の役割と似た役割を有している。
【０１９８】  次に、本変形例の表示装置１０１の効果について説明する。本変形例では、ミラー層１２８は、表示切替部１２０において、表示切替部１２０が表示状態となっているときに映像に干渉しない位置に設けられている。これにより、表示切替部１２０が表示状態となっているときに、ミラー状の枠で囲まれた状態で映像を表示することができる。その結果、表示切替部１２０が表示状態となっているときの意匠性を高めることができる。また、表示切替部１２０がミラー状態となっているときに、表示切替部１２０の最表面全体をミラー状態にすることができる。このとき、表示切替部１２０の最表面において、ミラー層１２８に対応する領域での反射率および色相と、ミラー層１２８に囲まれた領域での反射率および色相とは、若干異なる。そのため、表示切替部１２０がミラー状態となっているときに、表示切替部１２０の最表面における外縁を、反射率および色相の異なるミラー状の枠にすることができる。これにより、表示切替部１２０がミラー状態となっているときの意匠性を高めることができる。
【０１９９】［変形例Ｄ］  上記実施の形態、変形例Ａおよび変形例Ｂにおいて、反射面１２４Ｂは、１または複数の開口１２４Ａの周縁、ならびに第１反射層１２３の外縁および周縁に沿って設けられた反射面であってもよい。つまり、第２反射層１２４が、偏光層１２１、偏光制御層１２２および第１反射層１２３よりも大きくなっていてもよい。
【０２００】  次に、本変形例の表示装置１０１の効果について説明する。本変形例では、反射面１２４Ｂの外縁は、偏光層１２１、偏光制御層１２２および第１反射層１２３と非対向の位置に配置されている。これにより、表示切替部１２０が表示状態となっているときに、ミラー状の枠で囲まれた状態で映像を表示することができる。その結果、表示切替部１２０が表示状態となっているときの意匠性を高めることができる。また、表示切替部１２０がミラー状態となっているときに、表示切替部１２０の最表面全体をミラー状態にすることができる。このとき、表示切替部１２０の最表面において、反射面１２４Ｂの外縁に対応する領域での反射率および色相と、反射面１２４Ｂの外縁に囲まれた領域での反射率および色相とは、若干異なる。そのため、表示切替部１２０がミラー状態となっているときに、表示切替部１２０の最表面における外縁を、反射率および色相の異なるミラー状の枠にすることができる。これにより、表示切替部１２０がミラー状態となっているときの意匠性を高めることができる。
【０２０１】［変形例Ｅ］  上記実施の形態、変形例Ａおよび変形例Ｂにおいて、表示部１１０が、表示切替部１２０の周縁に沿って設けられた環状のベゼル１１１を有していてもよい。ベゼル１１１が、本開示の「ベゼル」の一具体例に相当する。
【０２０２】  図２９は、表示部１１０および表示切替部１２０の断面構成の一変形例を表したものである。ベゼル１１１は、１つの開口１１１Ａを有している。開口１１１Ａの形状は、特に限定されるものではないが、例えば、矩形状、任意の多角形状、円形状、楕円形状、または、それらを組み合わせた形状となっている。ベゼル１１１は、１つの開口１１１Ａを囲む位置に環状のミラー面１１１Ｂを有している。ミラー面１１１Ｂは、ベゼル１１１の表示切替部１２０側の面に形成されている。ミラー面１１１Ｂは、表示切替部１２０の周縁に沿って設けられており、出射面１１０Ａを囲むようにして設けられている。表示切替部１２０は、ミラー面１１１Ｂに接しておらず、表示切替部１２０の全体または一部が、開口１１１Ａの内部に収容されている。表示切替部１２０および出射面１１０Ａは、例えば、接着層１４０によって互いに貼り合わされている。
【０２０３】  次に、本変形例の表示装置１０１の効果について説明する。本変形例では、ミラー面１１１Ｂは、表示切替部１２０と非対向の位置に配置されている。これにより、表示切替部１２０が表示状態となっているときに、ミラー状の枠で囲まれた状態で映像を表示することができる。その結果、表示切替部１２０が表示状態となっているときの意匠性を高めることができる。また、表示切替部１２０がミラー状態となっているときに、表示切替部１２０の最表面全体をミラー状態にすることができる。このとき、ミラー面１１１Ｂに対応する領域での反射率および色相と、ミラー面１１１Ｂに囲まれた領域での反射率および色相とは、若干異なる。そのため、表示切替部１２０がミラー状態となっているときに、表示切替部１２０の最表面における周縁を、反射率および色相の異なるミラー状の枠にすることができる。これにより、表示切替部１２０がミラー状態となっているときの意匠性を高めることができる。
【０２０４】［変形例Ｆ］  上記実施の形態および変形例Ａ〜Ｅでは、液晶層１２２Ａは、電圧印加時（電圧オン時）に、液晶層１２２Ａに入射した光を、偏光軸を回転させずにそのまま透過し、電圧非印加時（電圧オフ時）に、液晶層１２２Ａに入射した光の偏光軸を、９０度の奇数倍の角度だけ変化させるようになっていた。しかし、上記実施の形態および変形例Ａ〜Ｅにおいて、液晶層１２２Ａは、電圧印加時（電圧オン時）に、液晶層１２２Ａに入射した光の偏光軸を、９０度の奇数倍の角度だけ変化させ、電圧非印加時（電圧オフ時）に、液晶層１２２Ａに入射した光を、偏光軸を回転させずにそのまま透過するようになっていてもよい。
【０２０５】  以上、実施の形態およびその変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。また、本技術は以下のような構成を取り得るものである。
【０２０６】
（１）
画像光として第１の偏光軸を有する第１の直線偏光を出射する表示部と、
前記表示部と対向して配置され、前記第１の直線偏光を透過する画像表示モードと外光を反射する外光反射モードとの切り替えを行う表示切替部と
を有し、
前記表示部は、前記第１の直線偏光を透過すると共に前記第１の偏光軸と交差する第２の偏光軸を有する第２の直線偏光を吸収する第１の吸収型偏光部材を含み、
前記表示切替部は、前記表示部から遠ざかる方向に順に配置された反射型偏光部材と透過偏光軸可変部材と第２の吸収型偏光部材とを含み、
前記反射型偏光部材は、前記第１の直線偏光を透過させると共に前記第２の直線偏光を反射するものであり、
前記透過偏光軸可変部材は、前記第１の直線偏光を前記第２の直線偏光へ変換して透過させる第１のモードと、前記第１の直線偏光を前記第２の直線偏光へ変換せずに透過させる第２のモードとの切り替えを行うものであり、
前記第２の吸収型偏光部材は、前記第１の直線偏光を透過すると共に前記第２の直線偏光を吸収するものであり、
前記第２の吸収型偏光部材の色相ｂ*値は、前記第１の吸収型偏光部材の色相ｂ*値以下である
表示装置。
（２）
前記偏光変換部材は、ＴＮ（Twisted Nematic）液晶素子、ＳＴＮ（Super Twisted Nematic）液晶素子、ＶＡ(Vertical Alignment)液晶素子、反強誘電性液晶素子または強誘電性液晶素子のいずれかの液晶素子である
上記（１）記載の表示装置。
（３）
前記偏光変換部材が、双安定液晶表示素子または３安定液晶表示素子である
上記（１）または（２）に記載の表示装置。
（４）
前記第２の吸収型偏光部材は、前記液晶素子の内部に設けられている
上記（１）から（３）のいずれか１つに記載の表示装置。
（５）
前記表示部は、前記第１の吸収型偏光部材を挟んで前記表示切替部と反対側に表示パネルをさらに含み、
前記第１の吸収型偏光部材と前記反射型偏光部材との間にガラス基板をさらに有する
上記（１）から（４）のいずれか１つに記載の表示装置。
（６）
前記反射型偏光部材と前記透過偏光軸可変部材とを貼り合わせる第１の樹脂層をさらに有し、
前記第１の樹脂層は２５μｍ以下の厚さを有する
上記（１）から（５）のいずれか１つに記載の表示装置。
（７）
前記第２の吸収型偏光部材と前記透過偏光軸可変部材とを貼り合わせる第２の樹脂層をさらに有し、
前記第２の樹脂層は２５μｍ以下の厚さを有する
上記（１）から（６）のいずれか１つに記載の表示装置。
（８）
前記反射型偏光部材と前記表示部とを貼り合わせる第３の樹脂層をさらに有し、
前記第３の樹脂層は２５μｍ以下の厚さを有する
上記（１）から（７）のいずれか１つに記載の表示装置。
（９）
前記透過偏光軸可変部材は、一部の前記第１の直線偏光のみを前記第２の直線偏光へ変換して透過させると共に残りの前記第１の直線偏光を前記第２の直線偏光へ変換せずに透過させる第３のモードへの切り替えも行う
上記（１）から（８）のいずれか１つに記載の表示装置。
（１０）
表示装置と、
前記表示装置を制御する制御部と
を備え、
前記表示装置は、
画像光として第１の偏光軸を有する第１の直線偏光を出射する表示部と、
前記表示部と対向して配置され、前記第１の直線偏光を透過する画像表示モードと外光を反射する外光反射モードとの切り替えを行う表示切替部と
を有し、
前記表示部は、前記第１の直線偏光を透過すると共に前記第１の偏光軸と交差する第２の偏光軸を有する第２の直線偏光を吸収する第１の吸収型偏光部材を含み、
前記表示切替部は、前記表示部から遠ざかる方向に順に配置された反射型偏光部材と透過偏光軸可変部材と第２の吸収型偏光部材とを含み、
前記反射型偏光部材は、前記第１の直線偏光を透過させると共に前記第２の直線偏光を反射するものであり、
前記透過偏光軸可変部材は、前記第１の直線偏光を前記第２の直線偏光へ変換して透過させる第１のモードと、前記第１の直線偏光を前記第２の直線偏光へ変換せずに透過させる第２のモードとの切り替えを行うものであり、
前記第２の吸収型偏光部材は、前記第１の直線偏光を透過すると共に前記第２の直線偏光を吸収するものであり、
前記第２の吸収型偏光部材の色相ｂ*値は、前記第１の吸収型偏光部材の色相ｂ*値以下である
電子機器。
（１１）
外部からの制御に基づいて偏光を制御する偏光制御層と、
前記偏光制御層の一方の面側に配置された偏光層と、
前記偏光制御層の他方の面側に配置された第１反射層および第２反射層と
を備え、
前記第１反射層は、反射偏光層であり、
前記第２反射層は、１または複数の開口を有する
光学装置。
（１２）
前記第１反射層は、前記偏光層の偏光軸と平行または直交する偏光軸を有する
上記（１１）記載の光学装置。
（１３）
前記偏光制御層は、液晶層と、前記液晶層を挟み込む一対または複数対の光透過性電極とを含み、
前記一対または複数対の光透過性電極は、前記液晶層全体に渡って電界を印加するためのシート状電極である
上記（１２）記載の光学装置。
（１４）
前記第２反射層は、１または複数の前記開口を囲む位置に反射面を有する
上記（１３）記載の光学装置。
（１５）
前記第２反射層は、１つの前記開口を有し、
前記反射面は、１つの前記開口の周縁であって、かつ前記第１反射層の外縁に沿って設けられた環状の反射面である
上記（１４）記載の光学装置。
（１６）
１つの前記開口は、前記第１反射層よりも小さい
上記（１５）記載の光学装置。
（１７）
前記第１反射層は、前記偏光制御層と前記第２反射層との間に配置されている
上記（１２）記載の光学装置。
（１８）
前記第２反射層は、金属反射層、多層膜反射層、または、前記第１反射層の偏光軸と直交する偏光軸を有する反射偏光層である
上記（１７）記載の光学装置。
（１９）
表示切替部と、
映像光として直線偏光光を出射する出射面を有する表示部と、
前記表示切替部を制御する制御部と
を備え、
前記表示切替部は、
前記制御部による制御に基づいて偏光を制御する偏光制御層と、
前記偏光制御層との関係で前記表示部とは反対側の位置に配置された偏光層と、
前記偏光制御層との関係で前記表示部側の位置に配置された第１反射層および第２反射層と
を有し、
前記第１反射層は、反射偏光層であり、
前記第２反射層は、１または複数の開口を有する
表示装置。
（２０）
表示切替部と、
映像光として直線偏光光を出射する出射面を有する表示部と、
前記表示切替部を制御する制御部と
を備え、
前記表示切替部は、
前記制御部による制御に基づいて偏光を制御する偏光制御層と、
前記偏光制御層との関係で前記表示部とは反対側の位置に配置された偏光層と、
前記偏光制御層との関係で前記表示部側の位置に配置された反射層と
を有し、
前記表示部は、前記出射面と対向する位置に開口を有するベゼルを有し、
前記反射層は、反射偏光層であり、
前記ベゼルは、前記開口の周縁に環状のミラー面を有する
表示装置。
【０２０７】  本出願は、日本国特許庁において２０１５年２月２７日に出願された日本特許出願番号２０１５−３７７３３号、および２０１５年３月２０日に出願された日本特許出願番号２０１５−５７１０６号を基礎として優先権を主張するものであり、この出願のすべての内容を参照によって本出願に援用する。
【０２０８】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
0006624193.tif 000005
【図１Ｂ】
0006624193.tif 000006
【図２】
0006624193.tif 000007
【図３】
0006624193.tif 000008
【図４】
0006624193.tif 000009
【図５】
0006624193.tif 000010
【図６】
0006624193.tif 000011
【図７】
0006624193.tif 000012
【図８】
0006624193.tif 000013
【図９Ａ】
0006624193.tif 000014
【図９Ｂ】
0006624193.tif 000015
【図９Ｃ】
0006624193.tif 000016
【図１０】
0006624193.tif 000017
【図１１】
0006624193.tif 000018
【図１２】
0006624193.tif 000019
【図１３】
0006624193.tif 000020
【図１４】
0006624193.tif 000021
【図１５】
0006624193.tif 000022
【図１６】
0006624193.tif 000023
【図１７】
0006624193.tif 000024
【図１８】
0006624193.tif 000025
【図１９】
0006624193.tif 000026
【図２０】
0006624193.tif 000027
【図２１】
0006624193.tif 000028
【図２２】
0006624193.tif 000029
【図２３】
0006624193.tif 000030
【図２４】
0006624193.tif 000031
【図２５】
0006624193.tif 000032
【図２６】
0006624193.tif 000033
【図２７】
0006624193.tif 000034
【図２８Ａ】
0006624193.tif 000035
【図２８Ｂ】
0006624193.tif 000036
【図２９】
0006624193.tif 000037